(57)【特許請求の範囲】
【請求項１】
通信ネットワークに接続された複数の端末と電子メール転送サーバとを備え、
前記電子メール転送サーバは、ダミーメールを前記複数の端末のうちの第１端末に送信し、前記ダミーメールは、前記第１端末からメインメールの送信条件が満たされたと判断される前記複数の端末のうちの第ｎ端末まで順次転送され、
前記電子メール転送サーバは、第ｊ（１≦ｊ≦ｎ−１を満たす整数）端末から第（ｊ＋１）端末に前記ダミーメールが転送されるとき、前記第（ｊ＋１）端末のアドレスを転送ログデータベースに登録し、前記送信条件が満たされたとき、前記転送ログデータベースに登録された前記アドレスに基づいて、前記ｎ個の端末に前記メインメールを送信する電子メール転送システム。
【請求項２】
通信ネットワークに接続され、第１番目からｎ（ｎは、２以上の整数）番目までのｎ個の端末と、
前記通信ネットワークに接続され、電子メールであるメインメールが格納されたメールデータベースと転送ログデータベースとを有し、前記電子メールであるダミーメールを第１端末に送信し、前記ダミーメールが第ｊ（１≦ｊ≦ｎ−１を満たす整数）端末から第（ｊ＋１）端末に転送されるとき、前記ダミーメールを受信する電子メール転送サーバとを備え、
前記ダミーメールは、前記第ｊ端末と前記第（ｊ＋１）端末とのアドレスを含み、
前記電子メール転送サーバは、前記ダミーメールに含まれる前記第ｊ端末と前記第（ｊ＋１）端末との前記アドレスを抽出して前記転送ログデータベースに登録し、前記メインメールの送信条件が満たされたとき、前記アドレスに基づいて前記ｎ個の端末に前記メインメールを送信する電子メール転送システム。
【請求項３】
請求項２に記載の電子メール転送システムにおいて、
前記電子メール転送サーバは、メインメール送信条件データベースを更に有し、
前記ダミーメールは前記送信条件を含み、
前記送信条件は、予め決められた転送回数を含み、
前記メインメール送信条件データベースには、前記予め決められた転送回数が登録され、
前記電子メール転送サーバは、前記第ｊ端末から前記第（ｊ＋１）端末に転送される回数を示す転送回数を前記アドレスと共に前記転送ログデータベースに登録し、前記メインメール送信条件データベースと前記転送ログデータベースとを参照して、前記転送回数が前記予め決められた転送回数を満たしているか否かを判定し、前記転送回数が前記予め決められた転送回数を満たしたとき、前記アドレスに基づいて前記ｎ個の端末に前記メインメールを送信する電子メール転送システム。
【請求項４】
請求項３に記載の電子メール転送システムにおいて、
前記送信条件は、予め決められた時間を含み、
前記メインメール送信条件データベースには、前記予め決められた時間が登録され、
前記電子メール転送サーバは、前記メインメール送信条件データベースを参照して、前記予め決められた時間が経過したか否かを判定し、前記予め決められた転送回数が満たされずに前記予め決められた時間が経過したとき、前記送信条件が満たされないことを示す残念メールを前記アドレスに基づいて前記第１端末から前記第ｊ端末に送信する電子メール転送システム。
【請求項５】
請求項３又は４に記載の電子メール転送システムにおいて、
前記電子メール転送サーバは、前記第（ｊ＋１）端末の前記アドレスを抽出したときに、前記第（ｊ＋１）端末の前記アドレスが前記転送ログデータベースに登録された前記アドレスと重複しているか否かを判定し、前記第（ｊ＋１）端末の前記アドレスが重複したとき、前記第（ｊ＋１）端末の前記アドレスを前記ｎ個の端末のうちの前記転送ログデータベースに登録された前記アドレス以外のアドレスに代えて前記ダミーメールを再転送するように通知するためのアラートを前記アドレスに基づいて前記第ｊ端末に送信する電子メール転送システム。
【請求項６】
請求項３〜５のいずれか一項に記載の電子メール転送システムにおいて、
前記ダミーメールには、前記第（ｊ＋１）端末が滞在する場所を表す転送先場所が情報として含まれ、
前記電子メール転送サーバは、前記アドレスと前記転送回数と共に前記転送先場所を前記転送ログデータベースに登録し、
前記送信条件は、前記ダミーメールの転送制限条件として予め決められた転送先場所を含み、
前記メインメール送信条件データベースには、前記予め決められた転送先場所が登録され、
前記電子メール転送サーバは、前記メインメール送信条件データベースと前記転送ログデータベースとを参照して、前記転送先場所が前記予め決められた転送先場所を満たしているか否かを判定し、前記転送先場所が前記予め決められた転送先場所を満たさないとき、前記ダミーメールを再転送するように通知するためのアラートを前記アドレスに基づいて前記第ｊ端末に送信する電子メール転送システム。
【請求項７】
請求項３〜６のいずれか一項に記載の電子メール転送システムにおいて、
前記電子メール転送サーバは、個人プロファイルデータベースを更に有し、
前記個人プロファイルデータベースには、前記アドレスと転送先の属性とが対応付けられて登録され、
前記転送ログデータベースに登録された前記アドレスは、前記個人プロファイルデータベースに登録された前記アドレスに対応し、
前記送信条件は、前記ダミーメールの転送制限条件として予め決められた前記転送先の属性を含み、
前記メインメール送信条件データベースには、前記予め決められた転送先の属性が登録され、
前記電子メール転送サーバは、前記メインメール送信条件データベースと前記個人プロファイルデータベースと前記転送ログデータベースとを参照して、前記転送先の属性が前記予め決められた転送先の属性を満たしているか否かを判定し、前記転送先の属性が前記予め決められた転送先の属性を満たさないとき、前記ダミーメールを再転送するように通知するためのアラートを前記アドレスに基づいて前記第ｊ端末に送信する電子メール転送システム。
【請求項８】
請求項２〜７のいずれか一項に記載の電子メール転送システムにおいて、
前記電子メール転送サーバによって受信される前記ダミーメールはコピーである電子メール転送システム。
【請求項９】
請求項３〜７のいずれか一項に記載の電子メール転送システムにおいて、
前記第（ｊ＋１）端末に転送された前記ダミーメールには、前記電子メール転送サーバによって前記転送回数が記載され、
前記記載された転送回数はｊ＋１である電子メール転送システム。
【請求項１０】
請求項３〜９のいずれか一項に記載の電子メール転送システムにおいて、
前記第（ｊ＋１）端末に転送された前記ダミーメールは、前記第（ｊ＋１）端末に表示され、
前記第（ｊ＋１）端末は、転送回数通知要求を前記電子メール転送サーバに送信し、
前記電子メール転送サーバは、前記第（ｊ＋１）端末からの前記転送回数通知要求に基づいて前記転送ログデータベースを参照して前記転送回数を前記第（ｊ＋１）端末に表示する電子メール転送システム。
【請求項１１】
請求項２〜１０のいずれか一項に記載の電子メール転送システムにおいて、
前記電子メール転送サーバは、前記電子メールの通信料金が記載された通信料金電子メールを出力用端末に送信する課金処理部を更に有する電子メール転送システム。
【請求項１２】
請求項１１に記載の電子メール転送システムにおいて、
前記課金処理部は、前記通信料金電子メールを前記出力用端末に送信する前に前記ｎ個の端末のうちの１つの端末から課金変更通知を受信したとき、前記通信料金電子メールを前記１つの端末に送信する電子メール転送システム。
【請求項１３】
通信ネットワークと、前記通信ネットワークを介して第１番目から第ｎ（ｎは、２以上の整数）番目までのｎ個の端末に接続された電子メール転送サーバであって、
電子メールであるメインメールが格納されたメールデータベースと、
前記電子メールであるダミーメールを前記第１端末に送信するダミーメール送信部と、
前記ダミーメールが第ｊ（１≦ｊ≦ｎ−１を満たす整数）端末から第（ｊ＋１）端末に転送されるとき、前記ダミーメールを受信するダミーメール受信部と、前記ダミーメールは前記第ｊ端末と前記第（ｊ＋１）端末とのアドレスを含み、
転送ログデータベースと、
前記ダミーメールに含まれる前記第ｊ端末と前記第（ｊ＋１）端末との前記アドレスを抽出するＦｒｏｍ−Ｔｏアドレス抽出部と、
前記アドレスを前記転送ログデータベースに登録するログ記録部と、
前記メインメールの送信条件が満たされたとき、前記アドレスに基づいて前記ｎ個の端末に前記メインメールを送信するメインメール送信部とを備えた電子メール転送サーバ。
【請求項１４】
請求項１３に記載の電子メール転送サーバにおいて、
メインメール送信条件データベースと、
条件判定部とを更に備え、
前記ダミーメールは前記送信条件を含み、
前記送信条件は、予め決められた転送回数を含み、
前記メインメール送信条件データベースには、前記予め決められた転送回数が登録され、
前記ログ記録部は、前記第ｊ端末から前記第（ｊ＋１）端末に転送される回数を示す転送回数を前記アドレスと共に前記転送ログデータベースに登録し、
前記条件判定部は、前記メインメール送信条件データベースと前記転送ログデータベースとを参照して、前記転送回数が前記予め決められた転送回数を満たしているか否かを判定し、
前記メインメール送信部は、前記転送回数が前記予め決められた転送回数を満たしたとき、前記アドレスに基づいて前記ｎ個の端末に前記メインメールを送信する電子メール転送サーバ。
【請求項１５】
請求項１４に記載の電子メール転送サーバにおいて、
監視部と、
残念メール送信部とを更に備え、
前記送信条件は、予め決められた時間を含み、
前記メインメール送信条件データベースには、前記予め決められた時間が登録され、
前記監視部は、前記メインメール送信条件データベースを参照して、前記予め決められた時間が経過したか否かを判定し、
前記残念メール送信部は、前記予め決められた転送回数が満たされずに前記予め決められた時間が経過したとき、前記送信条件が満たされないことを示す残念メールを前記アドレスに基づいて前記第１端末から前記第ｊ端末に送信する電子メール転送サーバ。
【請求項１６】
請求項１４又は１５に記載の電子メール転送サーバにおいて、
前記条件判定部は、前記Ｆｒｏｍ−Ｔｏアドレス抽出部が前記第（ｊ＋１）端末の前記アドレスを抽出したときに、前記第（ｊ＋１）端末の前記アドレスが前記転送ログデータベースに登録された前記アドレスと重複しているか否かを判定し、
前記ダミーメール送信部は、前記第（ｊ＋１）端末の前記アドレスが重複したとき、前記第（ｊ＋１）端末の前記アドレスを前記ｎ個の端末のうちの前記転送ログデータベースに登録された前記アドレス以外のアドレスに代えて前記ダミーメールを再転送するように通知するためのアラートを前記アドレスに基づいて前記第ｊ端末に送信する電子メール転送サーバ。
【請求項１７】
請求項１４〜１６のいずれか一項に記載の電子メール転送サーバにおいて、
前記ダミーメールには、前記第（ｊ＋１）端末が滞在する場所を表す転送先場所が情報として含まれ、
前記ログ記録部は、前記アドレスと前記転送回数と共に前記転送先場所を前記転送ログデータベースに登録し、
前記送信条件は、前記ダミーメールの転送制限条件として予め決められた転送先場所を含み、
前記メインメール送信条件データベースには、前記予め決められた転送先場所が登録され、
前記条件判定部は、前記メインメール送信条件データベースと前記転送ログデータベースとを参照して、前記転送先場所が前記予め決められた転送先場所を満たしているか否かを判定し、
前記ダミーメール送信部は、前記転送先場所が前記予め決められた転送先場所を満たさないとき、前記ダミーメールを再転送するように通知するためのアラートを前記アドレスに基づいて前記第ｊ端末に送信する電子メール転送サーバ。
【請求項１８】
請求項１４〜１７のいずれか一項に記載の電子メール転送サーバにおいて、
個人プロファイルデータベースを更に備え、
前記個人プロファイルデータベースには、前記アドレスと転送先の属性とが対応付けられて登録され、
前記転送ログデータベースに登録された前記アドレスは、前記個人プロファイルデータベースに登録された前記アドレスに対応し、
前記送信条件は、前記ダミーメールの転送制限条件として予め決められた前記転送先の属性を含み、
前記メインメール送信条件データベースには、前記予め決められた転送先の属性が登録され、
前記条件判定部は、前記メインメール送信条件データベースと前記個人プロファイルデータベースと前記転送ログデータベースとを参照して、前記転送先の属性が前記予め決められた転送先の属性を満たしているか否かを判定し、
前記ダミーメール送信部は、前記転送先の属性が前記予め決められた転送先の属性を満たさないとき、前記ダミーメールを再転送するように通知するためのアラートを前記アドレスに基づいて前記第ｊ端末に送信する電子メール転送サーバ。
【請求項１９】
請求項１３〜１８のいずれか一項に記載の電子メール転送サーバにおいて、
前記ダミーメール受信部によって受信される前記ダミーメールはコピーである電子メール転送サーバ。
【請求項２０】
請求項１４〜１８のいずれか一項に記載の電子メール転送サーバにおいて、
前記第（ｊ＋１）端末に転送された前記ダミーメールには、前記ダミーメール送信部によって前記転送回数が記載され、
前記記載された転送回数はｊ＋１である電子メール転送サーバ。
【請求項２１】
請求項１４〜２０のいずれか一項に記載の電子メール転送サーバにおいて、
前記第（ｊ＋１）端末に転送された前記ダミーメールは、前記第（ｊ＋１）端末に表示され、
前記ダミーメール受信部は、前記第（ｊ＋１）端末からの転送回数通知要求を受信し、
前記ダミーメール送信部は、前記転送回数通知要求に基づいて前記転送ログデータベースを参照して前記転送回数を前記第（ｊ＋１）端末に表示する電子メール転送サーバ。
【請求項２２】
請求項１３〜２１のいずれか一項に記載の電子メール転送サーバにおいて、
前記電子メールの通信料金が記載された通信料金電子メールを出力用端末に送信する課金処理部を更に備えた電子メール転送サーバ。
【請求項２３】
請求項２２に記載の電子メール転送サーバにおいて、
前記課金処理部は、前記通信料金電子メールを前記出力用端末に送信する前に前記ｎ個の端末のうちの１つの端末から課金変更通知を受信したとき、前記通信料金電子メールを前記１つの端末に送信する電子メール転送サーバ。
【請求項２４】
通信ネットワークに接続された電子メール転送サーバが前記通信ネットワークを介して第１番目から第ｎ（ｎは、２以上の整数）番目までのｎ個の端末に通信する電子メール転送方法であって、
電子メールであるメインメールをメールデータベースに格納するステップと、
ダミーメール送信部によって、前記電子メールであるダミーメールを前記第１端末に送信するステップと、
前記ダミーメールが第ｊ（１≦ｊ≦ｎ−１を満たす整数）端末から第（ｊ＋１）端末に転送されるとき、ダミーメール受信部によって前記ダミーメールを受信するステップと、前記ダミーメールは前記第ｊ端末と前記第（ｊ＋１）端末とのアドレスを含み、
Ｆｒｏｍ−Ｔｏアドレス抽出部によって、前記ダミーメールに含まれる前記第ｊ端末と前記第（ｊ＋１）端末との前記アドレスを抽出するステップと、
ログ記録部によって、前記アドレスを転送ログデータベースに登録するステップと、
前記メインメールの送信条件が満たされたとき、メインメール送信部によって、前記アドレスに基づいて前記ｎ個の端末に前記メインメールを送信するステップとを備えた電子メール転送方法。
【請求項２５】
請求項２４に記載の電子メール転送方法において、
前記ログ記録部によって、前記第ｊ端末から前記第（ｊ＋１）端末に転送される回数を示す転送回数を前記アドレスと共に前記転送ログデータベースに登録するステップと、前記ダミーメールは前記送信条件を含み、前記送信条件は予め決められた転送回数を含み、
条件判定部によって、メインメール送信条件データベースと前記転送ログデータベースとを参照して、前記転送回数が前記予め決められた転送回数を満たしているか否かを判定するステップと、前記メインメール送信条件データベースには前記予め決められた転送回数が登録され、
前記予め決められた転送回数を満たしたとき、前記メインメール送信部によって、前記アドレスに基づいて前記第１端末から前記第（ｊ＋１）端末に前記メインメールを送信するステップとを更に備えた電子メール転送方法。
【請求項２６】
請求項２５に記載の電子メール転送方法において、
前記送信条件は予め決められた時間を含み、前記メインメール送信条件データベースには前記予め決められた時間が更に登録され、
監視部によって、前記メインメール送信条件データベースを参照して、前記予め決められた時間が経過したか否かを判定するステップと、
前記予め決められた転送回数が満たされずに前記予め決められた時間が経過したとき、残念メール送信部によって、前記送信条件が満たされないことを示す残念メールを前記アドレスに基づいて前記第１端末から前記第ｊ端末に送信するステップとを更に備えた電子メール転送方法。
【請求項２７】
請求項２５又は２６に記載の電子メール転送方法において、
前記条件判定部によって、前記Ｆｒｏｍ−Ｔｏアドレス抽出部が前記第（ｊ＋１）端末の前記アドレスを抽出したときに、前記第（ｊ＋１）端末の前記アドレスが前記転送ログデータベースに登録された前記アドレスと重複しているか否かを判定するステップと、
前記第（ｊ＋１）端末の前記アドレスが重複したとき、前記ダミーメール送信部によって、前記第（ｊ＋１）端末の前記アドレスを前記ｎ個の端末のうちの前記転送ログデータベースに登録された前記アドレス以外のアドレスに代えて前記ダミーメールを再転送するように通知するためのアラートを前記アドレスに基づいて前記第ｊ端末に送信するステップとを更に備えた電子メール転送方法。
【請求項２８】
請求項２５〜２７のいずれか一項に記載の電子メール転送方法において、
前記ダミーメールには、前記第（ｊ＋１）端末が滞在する場所を表す転送先場所が情報として含まれ、
前記送信条件は、前記ダミーメールの転送制限条件として予め決められた転送先場所を含み、
前記メインメール送信条件データベースには、前記予め決められた転送先場所が登録され、
前記ログ記録部によって、前記アドレスと前記転送回数と共に前記転送先場所を前記転送ログデータベースに登録するステップと、
前記条件判定部によって、前記メインメール送信条件データベースと前記転送ログデータベースとを参照して、前記転送先場所が前記予め決められた転送先場所を満たしているか否かを判定するステップと、
前記転送先場所が前記予め決められた転送先場所を満たさないとき、前記ダミーメール送信部によって、前記ダミーメールを再転送するように通知するためのアラートを前記アドレスに基づいて前記第ｊ端末に送信するステップとを備えた電子メール転送方法。
【請求項２９】
請求項２５〜２８のいずれか一項に記載の電子メール転送方法において、
前記送信条件は、前記ダミーメールの転送制限条件として予め決められた転送先の属性を含み、
前記メインメール送信条件データベースには、前記予め決められた転送先の属性が登録され、
前記条件判定部によって、前記メインメール送信条件データベースと個人プロファイルデータベースと前記転送ログデータベースとを参照して、前記転送先の属性が前記予め決められた転送先の属性を満たしているか否かを判定するステップと、前記個人プロファイルデータベースには前記アドレスと前記転送先の属性とが対応付けられて登録され、前記転送ログデータベースに登録された前記アドレスは、前記個人プロファイルデータベースに登録された前記アドレスに対応し、
前記転送先の属性が前記予め決められた転送先の属性を満たさないとき、前記ダミーメール送信部によって、前記ダミーメールを再転送するように通知するためのアラートを前記アドレスに基づいて前記第ｊ端末に送信するステップとを備えた電子メール転送方法。
【請求項３０】
請求項２４〜２９のいずれか一項に記載の電子メール転送方法において、
前記ダミーメール受信部によって受信される前記ダミーメールはコピーである電子メール転送方法。
【請求項３１】
請求項２５〜２９のいずれか一項に記載の電子メール転送方法において、
前記第（ｊ＋１）端末に転送された前記ダミーメールは、前記第（ｊ＋１）端末に表示され、
前記ダミーメール受信部によって、前記第（ｊ＋１）端末からの転送回数通知要求を受信するステップと、
前記ダミーメール送信部によって、前記転送回数通知要求に基づいて前記転送ログデータベースを参照して前記転送回数を前記第（ｊ＋１）端末に表示するステップとを更に備えた電子メール転送方法。
【請求項３２】
請求項２４〜３１のいずれか一項に記載の電子メール転送方法において、
課金処理部によって、前記電子メールの通信料金が記載された通信料金電子メールを出力用端末に送信するステップを更に備えた電子メール転送方法。
【請求項３３】
請求項３２に記載の電子メール転送方法において、
前記通信料金電子メールを前記出力用端末に送信する前に前記ｎ個の端末のうちの１つの端末から課金変更通知を受信したとき、前記課金処理部によって、前記通信料金電子メールを前記１つの端末に送信するステップを更に備えた電子メール転送方法。
【請求項３４】
請求項２４〜３３のいずれか一項に記載された電子メール転送方法をコンピュータに実行させるコンピュータプログラム。
【発明の詳細な説明】
【０００１】
【発明の属する技術分野】
本発明は、電子メールを転送する電子メール転送システムに関する。
【０００２】
【従来の技術】
インターネットの電子メールを用いて多数の個人に直接に宣伝広告を配信するダイレクトメールが実施されている。ダイレクトメールの発信者は、予め登録されているメールアドレスのみに配信することができる。登録されていない個人にも宣伝広告を配信することができるダイレクトメールが望まれている。
【０００３】
【発明が解決しようとする課題】
本発明の目的は、予め登録されている個人に加えて登録されていない個人にも宣伝広告を配信することができる電子メール転送システムを提供することにある。
【０００４】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【０００５】
本発明の電子メール転送システムは、電子メール転送サーバ４と第１番目から第ｎ（ｎは、２以上の整数）番目までの端末３−１〜３−ｎとを備えている。電子メール転送サーバ４と端末３−１〜３−ｎは、通信ネットワーク５に接続されている。電子メール転送サーバ４は、電子メールであるメインメール１０が格納されたメールデータベース５４と転送ログデータベース５５とを有する。電子メール転送サーバ４は、電子メールであるダミーメール２０を端末３−１に送信する。ダミーメール２０が端末３−ｊ（１≦ｊ≦ｎ−１を満たす整数）から端末３−（ｊ＋１）に転送されるとき、電子メール転送サーバ４はダミーメール２０を受信する。ダミーメール２０は端末３−ｊと端末３−（ｊ＋１）とのアドレスを含む。電子メール転送サーバ４は、ダミーメール２０に含まれる端末３−ｊと端末３−（ｊ＋１）とのアドレスを抽出して転送ログデータベース５５に登録し、メインメール１０の送信条件が満たされたとき、アドレスに基づいて端末３−１から端末３−ｎにメインメール１０を送信する。
【０００６】
また、本発明の電子メール転送システムは、例えば依頼主端末１を更に備えている。依頼主端末１は、依頼主Ａに属す。依頼主端末１は、メインメール１０を電子メール転送サーバ４に送信する。電子メール転送サーバ４は、メインメール１０をメールデータベース５４に格納する。本発明の電子メール転送システムによれば、依頼主Ａは、依頼主端末１に登録されている個人（転送者Ｃ−１）に加えて依頼主端末１に登録されていない個人（転送者Ｃ−２、…、Ｃ−ｎ）にもメインメール１０に関する情報をダミーメール２０によって配信（送信／転送）することができる。
【０００７】
また、本発明の電子メール転送システムは、例えば広告主端末２を更に備えている。広告主端末２は、広告主Ｂに属す。広告主端末２は、ダミーメール２０（広告メール２０）を電子メール転送サーバ４に送信する。本発明の電子メール転送システムによれば、メインメール１０が転送者Ｃ−２、…、Ｃ−ｎに送信される旨をダミーメール２０（広告主Ｂの広告情報を含む広告メール２０）によって事前に知らせることができるため、広告主Ｂは、広告主端末２に登録されている個人（転送者Ｃ−１）に加えて広告主端末２に登録されていない個人（転送者Ｃ−２、…、Ｃ−ｎ）にも広告主Ｂの広告情報（広告、ＣＭ、ポスターを表す）を配信（送信／転送）することができる。
【０００８】
電子メール転送サーバ４は、メインメール送信条件データベース５８を更に有する。ダミーメール２０はメインメール１０の送信条件を含む。送信条件は、予め決められた転送回数ｎを含む。メインメール送信条件データベース５８には、送信条件として予め決められた転送回数ｎが登録されている。電子メール転送サーバ４は、端末３−ｊから端末３−（ｊ＋１）に転送される回数を示す転送回数“ｊ＋１”をアドレスと共に転送ログデータベース５５に登録する。電子メール転送サーバ４は、メインメール送信条件データベース５８と転送ログデータベース５５とを参照して、転送回数“ｊ＋１”が予め決められた転送回数ｎを満たしているか否かを判定する。電子メール転送サーバ４は、転送回数“ｊ＋１”が予め決められた転送回数ｎを満たしたとき、アドレスに基づいて端末３−１から端末３−ｎにメインメール１０を送信する。
【０００９】
送信条件は、予め決められた時間を含む。メインメール送信条件データベース５８には、送信条件として予め決められた時間が更に登録されている。電子メール転送サーバ４は、メインメール送信条件データベース５８を参照して、予め決められた時間が経過したか否かを判定する。電子メール転送サーバ４は、予め決められた転送回数ｎが満たされずに予め決められた時間が経過したとき、送信条件が満たされないことを示す残念メールをアドレスに基づいて端末３−１から端末３−ｊに送信する。
【００１０】
電子メール転送サーバ４は、端末３−（ｊ＋１）のアドレスを抽出したときに、端末３−（ｊ＋１）のアドレスが転送ログデータベース５５に登録されたアドレスと重複しているか否かを判定する。電子メール転送サーバ４は、端末３−（ｊ＋１）のアドレスが重複したとき、端末３−（ｊ＋１）のアドレスを端末３−１〜３−ｎのうちの転送ログデータベース５５に登録されたアドレス以外の転送先端末のアドレスに代えてダミーメール２０を再転送するように通知するためのアラートをアドレスに基づいて端末３−ｊに送信する。
【００１１】
電子メール転送サーバ４は、転送制限条件データベース５７を更に有する。ダミーメール２０には、端末３−（ｊ＋１）が滞在する場所を表す転送先場所が情報として含まれる。この場合、電子メール転送サーバ４は、アドレスと転送回数と共に転送先場所を転送ログデータベース５５に登録する。送信条件は、ダミーメール２０の転送制限条件として予め決められた転送先場所を含む。転送制限条件データベース５７、メインメール送信条件データベース５８には、予め決められた転送先場所が情報として登録されている。電子メール転送サーバ４は、メインメール送信条件データベース５８（又は転送制限条件データベース５７）と転送ログデータベース５５とを参照して、転送先場所が予め決められた転送先場所を満たしているか否かを判定する。電子メール転送サーバ４は、転送先場所が予め決められた転送先場所を満たさないとき、ダミーメール２０を再転送するように通知するためのアラートをアドレスに基づいて端末３−ｊに送信する。
【００１２】
電子メール転送サーバ４は、個人プロファイルデータベース５９を更に有する。個人プロファイルデータベース５９には、アドレスと転送先｛例えば転送者３−（ｊ＋１）｝の属性とが対応付けられて登録されている。転送ログデータベース５５に登録されたアドレスは、個人プロファイルデータベース５９に登録されたアドレスに対応する。送信条件は、ダミーメール２０の転送制限条件として予め決められた転送先の属性を含む。転送制限条件データベース５７、メインメール送信条件データベース５８には、予め決められた転送先の属性が登録されている。電子メール転送サーバ４は、メインメール送信条件データベース５８（又は転送制限条件データベース５７）と個人プロファイルデータベース５９と転送ログデータベース５５とを参照して、転送先の属性が予め決められた転送先の属性を満たしているか否かを判定する。電子メール転送サーバ４は、転送先の属性が予め決められた転送先の属性を満たさないとき、ダミーメール２０を再転送するように通知するためのアラートをアドレスに基づいて端末３−ｊに送信する。
【００１３】
本発明の電子メール転送システムにおいて、端末３−（ｊ＋１）に転送されたダミーメール２０には、電子メール転送サーバ４によって転送回数“ｊ＋１”が記載されている。
【００１４】
本発明の電子メール転送システムにおいて、電子メール転送サーバ４によって受信されるダミーメール２０はコピーである。
【００１５】
本発明の電子メール転送システムにおいて、端末３−（ｊ＋１）に転送されたダミーメール２０は、端末３−（ｊ＋１）に表示される。端末３−（ｊ＋１）は、転送回数通知要求を電子メール転送サーバに送信する。電子メール転送サーバ４は、端末３−（ｊ＋１）からの転送回数通知要求に基づいて転送ログデータベース５５を参照して転送回数を端末３−（ｊ＋１）に表示する。
【００１６】
本発明の電子メール転送システムにおいて、電子メール転送サーバ４は、課金処理部５３を更に有する。課金処理部５３は、電子メール（メインメール１０、ダミーメール２０）の通信料金が記載された通信料金電子メールを出力用端末（依頼主端末１、広告主端末２、スポンサーが利用する端末）に送信する。また、課金処理部５３は、通信料金電子メールを出力用端末に送信する前に端末３−１〜３−（ｊ＋１）のうちの１つの端末（例えば端末３−ｊ）から課金変更通知を受信したとき、通信料金電子メールを端末３−ｊに送信する。
【００１７】
本発明の電子メール転送サーバ４は、通信ネットワーク５と、通信ネットワーク５を介して第１番目から第ｎ（ｎは、２以上の整数）番目までの端末３−１〜３−ｎに接続されている。本発明の電子メール転送サーバ４は、ダミーメール送信部４３とダミーメール受信部４４とＦｒｏｍ−Ｔｏアドレス抽出部４５とログ記録部４７とメインメール送信部４１とメールデータベース５４と転送ログデータベース５５とを備えている。メールデータベース５４には、電子メールであるメインメール１０が格納されている。ダミーメール送信部４３は、電子メールであるダミーメール２０を端末３−１に送信する。ダミーメール受信部４４は、ダミーメール２０が端末３−ｊ（１≦ｊ≦ｎ−１を満たす整数）から端末３−（ｊ＋１）に転送されるとき、ダミーメール２０を受信する。ダミーメール２０は端末３−ｊと端末３−（ｊ＋１）とのアドレスを含む。Ｆｒｏｍ−Ｔｏアドレス抽出部４５は、ダミーメール２０に含まれる端末３−ｊと端末３−（ｊ＋１）とのアドレスを抽出する。ログ記録部４７は、アドレスを転送ログデータベース５５に登録する。メインメール送信部４１は、メインメール１０の送信条件が満たされたとき、アドレスに基づいて端末３−１から端末３−ｎにメインメール１０を送信する。
【００１８】
例えば、依頼主Ａに属す依頼主端末１は、メインメール１０を電子メール転送サーバ４に送信する。本発明の電子メール転送サーバ４は、依頼主端末１からのメインメール１０を受信してメールデータベース５４に格納するメインメール受信部４２を更に備えている。本発明の電子メール転送サーバ４によれば、依頼主Ａは、依頼主端末１に登録されている個人（転送者Ｃ−１）に加えて依頼主端末１に登録されていない個人（転送者Ｃ−２、…、Ｃ−ｎ）にもメインメール１０に関する情報をダミーメール２０によって配信（送信／転送）することができる。
【００１９】
例えば、広告主Ｂに属す広告主端末２は、ダミーメール２０（広告メール２０）を電子メール転送サーバ４に送信する。本発明の電子メール転送サーバ４によれば、メインメール１０が転送者Ｃ−２、…、Ｃ−ｎに送信される旨をダミーメール２０（広告主Ｂの広告情報を含む広告メール２０）によって事前に知らせることができるため、広告主Ｂは、広告主端末２に登録されている個人（転送者Ｃ−１）に加えて広告主端末２に登録されていない個人（転送者Ｃ−２、…、Ｃ−ｎ）にも広告主Ｂの広告情報（広告、ＣＭ、ポスターを表す）を配信（送信／転送）することができる。
【００２０】
本発明の電子メール転送サーバ４は、条件判定部４８とメインメール送信条件データベース５８とを更に備えている。ダミーメール２０はメインメール１０の送信条件を含む。送信条件は、予め決められた転送回数ｎを含む。メインメール送信条件データベース５８には、送信条件として予め決められた転送回数ｎが登録されている。ログ記録部４７は、端末３−ｊから端末３−（ｊ＋１）に転送される回数を示す転送回数“ｊ＋１”をアドレスと共に転送ログデータベース５５に登録する。条件判定部４８は、メインメール送信条件データベース５８と転送ログデータベース５５とを参照して、転送回数“ｊ＋１”が予め決められた転送回数ｎを満たしているか否かを判定する。メインメール送信部４１は、転送回数“ｊ＋１”が予め決められた転送回数ｎを満たしたとき、アドレスに基づいて端末３−１から端末３−ｎにメインメール１０を送信する。
【００２１】
本発明の電子メール転送サーバ４は、監視部５２と残念メール送信部５０とを更に備えている。送信条件は、予め決められた時間を含む。メインメール送信条件データベース５８には、送信条件として予め決められた時間が更に登録されている。監視部５２は、メインメール送信条件データベース５８を参照して、予め決められた時間が経過したか否かを判定する。残念メール送信部５０は、予め決められた転送回数ｎが満たされずに予め決められた時間が経過したとき、送信条件が満たされないことを示す残念メールをアドレスに基づいて端末３−１から端末３−ｊに送信する。
【００２２】
本発明の電子メール転送サーバ４は、アラート送信部４９を更に備えている。条件判定部４８は、Ｆｒｏｍ−Ｔｏアドレス抽出部４５が端末３−（ｊ＋１）のアドレスを抽出したときに、端末３−（ｊ＋１）のアドレスが転送ログデータベース５５に登録されたアドレスと重複しているか否かを判定する。ダミーメール送信部４３（又はアラート送信部４９）は、端末３−（ｊ＋１）のアドレスが重複したとき、端末３−（ｊ＋１）のアドレスを端末３−１〜３−ｎのうちの転送ログデータベース５５に登録されたアドレス以外の転送先端末のアドレスに代えてダミーメール２０を再転送するように通知するためのアラートをアドレスに基づいて端末３−ｊに送信する。
【００２３】
本発明の電子メール転送サーバ４は、転送制限条件データベース５７を更に備えている。ダミーメール２０には、端末３−（ｊ＋１）が滞在する場所を表す転送先場所が情報として含まれる。この場合、ログ記録部４７は、アドレスと転送回数と共に転送先場所を転送ログデータベース５５に登録する。送信条件は、ダミーメール２０の転送制限条件として予め決められた転送先場所を含む。転送制限条件データベース５７、メインメール送信条件データベース５８には、予め決められた転送先場所が情報として登録されている。条件判定部４８は、メインメール送信条件データベース５８（又は転送制限条件データベース５７）と転送ログデータベース５５とを参照して、転送先場所が予め決められた転送先場所を満たしているか否かを判定する。ダミーメール送信部４３（又はアラート送信部４９）は、転送先場所が予め決められた転送先場所を満たさないとき、ダミーメール２０を再転送するように通知するためのアラートをアドレスに基づいて端末３−ｊに送信する。
【００２４】
本発明の電子メール転送サーバ４は、個人プロファイルデータベース５９を更に備えている。個人プロファイルデータベース５９には、アドレスと転送先｛例えば転送者３−（ｊ＋１）｝とが対応付けられて登録されている。転送ログデータベース５５に登録されたアドレスは、個人プロファイルデータベース５９に登録されたアドレスに対応する。送信条件は、ダミーメール２０の転送制限条件として予め決められた転送先の属性を含む。転送制限条件データベース５７、メインメール送信条件データベース５８には、予め決められた転送者の属性が登録されている。条件判定部４８は、メインメール送信条件データベース５８（又は転送制限条件データベース５７）と個人プロファイルデータベース５９と転送ログデータベース５５とを参照して、転送先の属性が予め決められた転送先の属性を満たしているか否かを判定する。ダミーメール送信部４３（又はアラート送信部４９）は、転送先の属性が予め決められた転送先の属性を満たさないとき、ダミーメール２０を再転送するように通知するためのアラートをアドレスに基づいて端末３−ｊに送信する。
【００２５】
本発明の電子メール転送サーバ４において、端末３−（ｊ＋１）に転送されたダミーメール２０には、ダミーメール送信部４３によって転送回数“ｊ＋１”が記載されている。
【００２６】
本発明の電子メール転送サーバ４において、ダミーメール受信部４４によって受信されるダミーメール２０はコピーである。
【００２７】
本発明の電子メール転送サーバ４において、端末３−（ｊ＋１）に転送されたダミーメール２０は、端末３−（ｊ＋１）に表示される。ダミーメール受信部４４は、端末３−（ｊ＋１）からの転送回数通知要求を受信する。ダミーメール送信部４３は、転送回数通知要求に基づいて転送ログデータベース５５を参照して転送回数を端末３−（ｊ＋１）に表示する。
【００２８】
本発明の電子メール転送サーバ４は、課金処理部５３を更に備えている。課金処理部５３は、電子メール（メインメール１０、ダミーメール２０）の通信料金が記載された通信料金電子メールを出力用端末（依頼主端末１、広告主端末２、スポンサーが利用する端末）に送信する。また、課金処理部５３は、通信料金電子メールを出力用端末に送信する前に端末３−１〜３−（ｊ＋１）のうちの１つの端末（例えば端末３−ｊ）から課金変更通知を受信したとき、通信料金電子メールを端末３−ｊに送信する。
【００２９】
本発明の電子メール転送方法は、通信ネットワーク５に接続された電子メール転送サーバ４が通信ネットワークを介して第１番目から第ｎ（ｎは、２以上の整数）番目までの端末３−１〜３−ｎに通信する方法である。本発明の電子メール転送方法は、メインメール受信部４２とダミーメール送信部４３とダミーメール受信部４４とＦｒｏｍ−Ｔｏアドレス抽出部４５とログ記録部４７とメインメール送信部４１とメールデータベース５４と転送ログデータベース５５とを備えた電子メール転送サーバ４によって実現する。本発明の電子メール転送方法は、第１ステップ（Ｓ６）と第２ステップ（Ｓ１１、Ｓ１１１）と第３ステップ（Ｓ１５、Ｓ２０、Ｓ２５、Ｓ４１、Ｓ１１５、Ｓ１１９、Ｓ１２３）と第４ステップ（Ｓ４２）と第５ステップ（Ｓ４７）と第６ステップ（Ｓ２８、Ｓ５１、Ｓ５５、Ｓ５８、Ｓ５９、Ｓ６０、Ｓ１２５、Ｓ１４１、Ｓ１４２、Ｓ１４３）とを備えている。第１ステップ（Ｓ６）は、電子メールであるメインメール１０をメールデータベース５４に格納する。第２ステップ（Ｓ１１、Ｓ１１１）は、ダミーメール送信部４３によって、電子メールであるダミーメール２０を端末３−１に送信する。第３ステップ（Ｓ１５、Ｓ２０、Ｓ２５、Ｓ４１、Ｓ１１５、Ｓ１１９、Ｓ１２３）は、ダミーメール２０が端末３−ｊ（１≦ｊ≦ｎ−１を満たす整数）から端末３−（ｊ＋１）に転送されるとき、ダミーメール受信部４４によってダミーメール２０を受信する。ダミーメール２０は端末３−ｊと端末３−（ｊ＋１）とのアドレスを含む。第４ステップ（Ｓ４２）は、Ｆｒｏｍ−Ｔｏアドレス抽出部４５によって、ダミーメール２０に含まれる端末３−ｊと端末３−（ｊ＋１）とのアドレスを抽出する。第５ステップ（Ｓ４７）は、ログ記録部４７によって、アドレスを転送ログデータベース５５に登録する。第６ステップ（Ｓ２８、Ｓ５１、Ｓ５５、Ｓ５８、Ｓ５９、Ｓ６０、Ｓ１２５、Ｓ１４１、Ｓ１４２、Ｓ１４３）は、メインメール１０の送信条件が満たされたとき、メインメール送信部４１によって、アドレスに基づいて端末３−１から端末３−ｎにメインメール１０を送信する。
【００３０】
本発明の電子メール転送方法は、条件判定部４８とメインメール送信条件データベース５８とを更に備えた電子メール転送サーバ４によって実現する。本発明の電子メール転送方法は、第７ステップ（Ｓ４７）と第８ステップ（Ｓ５５、Ｓ１４１）と第９ステップ（Ｓ２８、Ｓ５５−ＹＥＳ、Ｓ５８、Ｓ５９、Ｓ６０、Ｓ１２５、Ｓ１４１、Ｓ１４２、Ｓ１４３）とを更に備えている。ダミーメール２０はメインメール１０の送信条件を含む。送信条件は予め決められた転送回数ｎを含む。メインメール送信条件データベース５８には送信条件として予め決められた転送回数ｎが登録されている。第７ステップ（Ｓ４７）は、端末３−ｊから端末３−（ｊ＋１）に転送される回数を示す転送回数“ｊ＋１”をアドレスと共に転送ログデータベース５５に登録する。第８ステップ（Ｓ５５、Ｓ１４１）は、条件判定部４８によって、メインメール送信条件データベース５８と転送ログデータベース５５とを参照して、転送回数“ｊ＋１”が予め決められた転送回数ｎを満たしているか否かを判定する。第９ステップ（Ｓ２８、Ｓ５５−ＹＥＳ、Ｓ５８、Ｓ５９、Ｓ６０、Ｓ１２５、Ｓ１４１、Ｓ１４２、Ｓ１４３）は、転送回数“ｊ＋１”が予め決められた転送回数ｎを満たしたとき、メインメール送信部４１によって、アドレスに基づいて端末３−１から端末３−ｎにメインメール１０を送信する。
【００３１】
本発明の電子メール転送方法は、監視部５２と残念メール送信部５０とを更に備えた電子メール転送サーバ４によって実現する。本発明の電子メール転送方法は、第１０ステップ（Ｓ５１、Ｓ５２）と第１１ステップ（Ｓ３３、Ｓ３４、Ｓ５２−ＹＥＳ、Ｓ５３、Ｓ５４、Ｓ１３１、Ｓ１３２）を更に備えている。送信条件は予め決められた時間を含む。メインメール送信条件データベース５８には送信条件として予め決められた時間が更に登録されている。第１０ステップ（Ｓ５１、Ｓ５２）は、監視部５２によって、メインメール送信条件データベース５８を参照して、予め決められた時間が経過したか否かを判定する。第１１ステップ（Ｓ３３、Ｓ３４、Ｓ５２−ＹＥＳ、Ｓ５３、Ｓ５４、Ｓ１３１、Ｓ１３２）は、予め決められた転送回数ｎが満たされずに予め決められた時間が経過したとき、残念メール送信部５０によって、送信条件が満たされないことを示す残念メールをアドレスに基づいて端末３−１から端末３−ｊに送信する。
【００３２】
本発明の電子メール転送方法は、アラート送信部４９を更に備えた電子メール転送サーバ４によって実現する。本発明の電子メール転送方法は、第１２ステップ（Ｓ４４）と第１３ステップ（Ｓ４４−ＹＥＳ、Ｓ４５）を更に備えている。第１２ステップ（Ｓ４４）は、条件判定部４８によって、Ｆｒｏｍ−Ｔｏアドレス抽出部４５が端末３−（ｊ＋１）のアドレスを抽出したときに、端末３−（ｊ＋１）のアドレスが転送ログデータベース５５に登録されたアドレスと重複しているか否かを判定する。第１３ステップ（Ｓ４４−ＹＥＳ、Ｓ４５）は、端末３−（ｊ＋１）のアドレスが重複したとき、ダミーメール送信部４３（又はアラート送信部４９）によって、端末３−（ｊ＋１）のアドレスを端末３−１〜３−ｎのうちの転送ログデータベース５５に登録されたアドレス以外のアドレスに代えてダミーメール２０を再転送するように通知するためのアラートをアドレスに基づいて端末３−ｊに送信する。
【００３３】
本発明の電子メール転送方法は、転送制限条件データベース５７を更に備えた電子メール転送サーバ４によって実現する。本発明の電子メール転送方法は、第１４ステップ（Ｓ４７）と第１５ステップ（Ｓ４８、Ｓ４９−ＹＥＳ、Ｓ５０、Ｓ７１、Ｓ７２）と第１６ステップ（Ｓ５０、Ｓ７２−ＮＯ、Ｓ８３、Ｓ８４、Ｓ８５）とを更に備えている。ダミーメール２０には、端末３−（ｊ＋１）が滞在する場所を表す転送先場所が情報として含まれる。この場合、第１４ステップ（Ｓ４７）は、ログ記録部４７によって、アドレスと転送回数と共に転送先場所を転送ログデータベース５５に登録する。送信条件は、ダミーメール２０の転送制限条件として予め決められた転送先場所を含む。転送制限条件データベース５７、メインメール送信条件データベース５８には、予め決められた転送先場所が情報として登録されている。第１５ステップ（Ｓ４８、Ｓ４９−ＹＥＳ、Ｓ５０、Ｓ７１、Ｓ７２）は、条件判定部４８によって、メインメール送信条件データベース５８（又は転送制限条件データベース５７）と転送ログデータベース５５とを参照して、転送先場所が予め決められた転送先場所を満たしているか否かを判定する。第１６ステップ（Ｓ５０、Ｓ７２−ＮＯ、Ｓ８３、Ｓ８４、Ｓ８５）は、転送先場所が予め決められた転送先場所を満たさないとき、ダミーメール送信部４３（又はアラート送信部４９）によって、ダミーメール２０を再転送するように通知するためのアラートをアドレスに基づいて端末３−ｊに送信する。
【００３４】
本発明の電子メール転送方法は、個人プロファイルデータベース５９を備えた電子メール転送サーバ４によって実現する。本発明の電子メール転送方法は、第１７ステップ（Ｓ４８、Ｓ４９−ＹＥＳ、Ｓ５０、Ｓ７３〜Ｓ８２）と第１８ステップとを更に備えている。個人プロファイルデータベース５９にはアドレスと転送先｛例えば転送者３−（ｊ＋１）｝の属性とが対応付けられて登録されている。転送ログデータベース５５に登録されたアドレスは個人プロファイルデータベース５９に登録されたアドレスに対応する。送信条件は、ダミーメール２０の転送制限条件として予め決められた転送先の属性を含む。転送制限条件データベース５７、メインメール送信条件データベース５８には、予め決められた転送先の属性が登録されている。第１７ステップ（Ｓ４８、Ｓ４９−ＹＥＳ、Ｓ５０、Ｓ７３〜Ｓ８２）は、条件判定部４８によって、メインメール送信条件データベース５８（又は転送制限条件データベース５７）と個人プロファイルデータベース５９と転送ログデータベース５５とを参照して、転送先の属性が予め決められた転送先の属性を満たしているか否かを判定する。第１８ステップ（Ｓ５０、Ｓ７４−ＮＯ、Ｓ７６−ＮＯ、Ｓ７８−ＮＯ、Ｓ８０−ＮＯ、Ｓ８２−ＮＯ）は、転送制限条件が満たされないとき、ダミーメール送信部４３（又はアラート送信部４９）によって、ダミーメール２０を再転送するように通知するためのアラートをアドレスに基づいて端末３−ｊに送信する。
【００３５】
本発明の電子メール転送方法において、ダミーメール受信部４４によって受信されるダミーメール２０はコピーである。
【００３６】
本発明の電子メール転送方法において、端末３−（ｊ＋１）に転送されたダミーメール２０は、端末３−（ｊ＋１）に表示される。本発明の電子メール転送方法は、第１９ステップ（Ｓ９２−ＹＥＳ、Ｓ１５２−ＹＥＳ）と第２０ステップ（Ｓ９３、Ｓ９４、Ｓ１５３、Ｓ１５４）とを更に備えている。第１９ステップ（Ｓ９２−ＹＥＳ、Ｓ１５２−ＹＥＳ）は、ダミーメール受信部４４によって、端末３−（ｊ＋１）からの転送回数通知要求を受信する。第２０ステップ（Ｓ９３、Ｓ９４、Ｓ１５３、Ｓ１５４）は、ダミーメール送信部４３によって、転送回数通知要求に基づいて転送ログデータベース５５を参照して転送回数を端末３−（ｊ＋１）に表示する。
【００３７】
本発明の電子メール転送方法は、第２１ステップ（Ｓ１０２−ＮＯ、Ｓ１０３、Ｓ１０４、Ｓ１０５、Ｓ１０６、Ｓ１０７）を更に備えている。第２１ステップ（Ｓ１０２−ＮＯ、Ｓ１０３、Ｓ１０４、Ｓ１０５、Ｓ１０６、Ｓ１０７）は、課金処理部５３によって、電子メール（メインメール１０、ダミーメール２０）の通信料金が記載された通信料金電子メールを出力用端末（依頼主端末１、広告主端末２、スポンサーが利用する端末）に送信する。また、本発明の電子メール転送方法は、第２２ステップ（Ｓ１０１、Ｓ１０２−ＹＥＳ、Ｓ１０８、Ｓ１０９、Ｓ１１０）を更に備えている。第２２ステップ（Ｓ１０１、Ｓ１０２−ＹＥＳ、Ｓ１０８、Ｓ１０９、Ｓ１１０）は、通信料金電子メールを出力用端末に送信する前に端末３−１〜３−（ｊ＋１）のうちの１つの端末（例えば端末３−ｊ）から課金変更通知を受信したとき、課金処理部５３によって、通信料金電子メールを端末３−ｊに送信する。
【００３８】
本発明のコンピュータプログラムは、電子メール転送方法を電子メール転送サーバ４に実行させる。電子メール転送サーバ４は、コンピュータプログラムであるメインメール送信部４１、メインメール受信部４２、ダミーメール送信部４３、ダミーメール受信部４４、Ｆｒｏｍ−Ｔｏアドレス抽出部４５、ログ記録部４７、条件判定部４８、アラート送信部４９、残念メール送信部５０、タイマ監視部５２、課金処理部５３を備え、メールデータベース５４、転送ログデータベース５５、転送制限条件データベース５７、メインメール送信条件データベース５８、個人プロファイルデータベース５９を有する。
【００３９】
本発明のメール配信プログラムは、通信ネットワーク５に接続されて複数の端末３−１〜３−ｎと電子メール伝送サーバ４とを含む電子メール転送システムのコンピュータプログラムである。複数の端末３−１〜３−ｎと電子メール伝送サーバ４はコンピュータである。本発明のコンピュータプログラムは、第３１ステップ（Ｓ１１、Ｓ１１１）と第３２ステップ（Ｓ１４、Ｓ１１４）と第３３ステップ（Ｓ１９、Ｓ１１８）と第３４ステップ（Ｓ１５、Ｓ２０、Ｓ１１５、Ｓ１１９）と第３５ステップ（Ｓ２５、Ｓ１２３）とを備えた方法をコンピュータに実行させる。第３１ステップ（Ｓ１１、Ｓ１１１）は、電子メール伝送サーバ４がメインメール１０とメインメール１０の送信条件を含むダミーメール２０とを複数の端末３−１〜３−ｎのうちのアドレスが既知の端末３−１に送信する。第３２ステップ（Ｓ１４、Ｓ１１４）は、端末３−１が、複数の端末３−１〜３−ｎのうちの端末３−２にダミーメール２０を転送した際に転送情報を電子メール伝送サーバ４に送信する。この転送情報は、例えば実施の形態で説明される転送ログである。第３３ステップ（Ｓ１９、Ｓ１１８）は、端末３−２が、複数の端末３−１〜３−ｎのうちの端末３−３にダミーメール２０を転送した際に転送情報を電子メール伝送サーバ４に送信する。第３４ステップ（Ｓ１５、Ｓ２０、Ｓ１１５、Ｓ１１９）は、電子メール伝送サーバ４が、転送情報に基づいて送信条件が満たされているか否かを判定する。第３５ステップ（Ｓ２５、Ｓ１２３）は、送信条件が満たされたとき、電子メール伝送サーバ４が、複数の端末３−１〜３−ｎのうちのダミーメール２０が転送された端末に一斉にメインメールを送信する。この例において、ダミーメール２０が転送された端末は、端末３−１、３−２、３−３である。
【００４０】
端末３−１〜３−ｎ（電子メール転送端末）は、通信ネットワーク５と、通信ネットワーク５を介して電子メール転送サーバ４と接続されている。電子メール転送端末は、転送処理部３５と、受信部３２とを備えている。転送処理部３５は、ダミーメール２０を端末３−１〜３−ｎのうちの転送用端末に転送する。ダミーメール２０が転送されるとき、電子メール転送サーバ４はダミーメール２０を受信する。電子メール転送サーバ４は、メインメール１０の送信条件が満たされたときにメインメール１０を送信する。受信部３２は、電子メール転送サーバ４からのメインメール１０を受信する。
【００４１】
【発明の実施の形態】
添付図面を参照して、本発明による電子メール転送システムの実施の形態を以下に説明する。
【００４２】
（実施の形態１）
図１は、実施の形態１に係る電子メール転送システムの構成を示すブロック図である。実施の形態１に係る電子メール転送システムは、依頼主端末１、広告主端末２、第１番目から第ｎ（ｎは、２以上の整数）番目までの転送者端末（以下、端末と称す）３−１〜３−ｎ、メールサーバ（以下、サーバと称す）４、通信ネットワーク５を備えている。通信ネットワーク５には、場所特定部１０５が接続されている。場所特定部１０５としては、基地局、衛星が含まれる。通信ネットワーク５は、依頼主端末１、広告主端末２、端末３−１、３−２、…、３−ｎ、サーバ４、場所特定部１０５を相互に接続する。
【００４３】
依頼主端末１は、依頼主Ａに属す。依頼主端末１のメールアドレス（以下、アドレスと称す）は、依頼主Ａによって予めに決められ、登録業者（電話会社を含む）によって登録されている。広告主端末２は、広告主Ｂに属す。広告主端末２のアドレスは、広告主Ｂによって予めに決められ、登録業者（電話会社を含む）によって登録されている。サーバ４は、業者Ｄに属す。サーバ４のアドレスは、業者Ｄによって予めに決められ、登録業者（電話会社を含む）によって登録されている。
【００４４】
端末３−１、３−２、…、３−ｎは、各々異なる転送者Ｃ−１、Ｃ−２、…、Ｃ−ｎに属す。端末３−１、３−２、…、３−ｎのアドレスは、転送者Ｃ−１、Ｃ−２、…、Ｃ−ｎによって決められ、登録業者（電話会社を含む）によって登録されている。この端末３−１、３−２、…、３−ｎのアドレスは各々異なる。転送者Ｃ−１、Ｃ−２、…、Ｃ−ｎは、友達、知り合いであり、端末３−１、３−２、…、３−ｎのアドレスを知っている。例えば、転送者Ｃ−１と転送者Ｃ−３は互いにアドレスを知らなくても、転送者Ｃ−１は、転送者Ｃ−２に属す端末３−２のアドレスを知っていて、転送者Ｃ−２は、転送者Ｃ−３に属す端末３−３のアドレスを知っている。
【００４５】
依頼主Ａ、広告主Ｂは、例えば端末３−１のアドレスを知っていて、端末３−２、…、３−ｎのアドレスを知らない。広告主Ｂは、広告主端末２に登録されている個人（転送者Ｃ−１）に加えて広告主端末２に登録されていない個人（転送者Ｃ−２、…、Ｃ−ｎ）にも広告主Ｂの広告情報（広告、ＣＭ、ポスターを表す）を配信（送信／転送）してもらうために、広告主端末２を用いて、広告情報を含む広告電子メール（以下、広告メールと称す）２０をサーバ４に送信する。依頼主Ａは、依頼主端末１に登録されている個人（転送者Ｃ−１）に加えて依頼主端末１に登録されていない個人（転送者Ｃ−２、…、Ｃ−ｎ）にもメイン電子メール（以下、メインメールと称す）１０に関する情報を広告メール２０によって配信（送信／転送）してもらうために、依頼主端末１を用いる。このメインメール１０は、インセンティブに関する情報（プロモーション、割引案内、招待券）を含む。依頼主端末１は、メインメール１０と、メインメール１０の送信条件を含む電子メールとをサーバ４に送信する。メインメール１０の送信条件としては、広告メール２０の転送制限条件を含む。
【００４６】
サーバ４は、メールデータベースと転送ログデータベースと有する。サーバ４は、広告主端末２からの広告メール２０を受信してメールデータベースに登録する。サーバ４は、依頼主端末１からのメインメール１０と、メインメール１０の送信条件と広告メール２０の転送制限条件とを含む電子メールとを受信してメールデータベースに格納する。サーバ４は、メインメール１０の受信に応じて、広告メール２０をダミーメール２０として端末３−１、３−２、…、３−ｎのうちの予め決められた端末３−１に送信する。このダミーメール２０は、メインメール１０に関連する電子メール（メインメール１０の送信を事前に通知するための電子メール）であり、メインメール１０の送信条件を含む。
【００４７】
ダミーメール２０は、端末３−１、３−２、…、３−ｎのうちの発信元端末である端末３−ｊ（１≦ｊ≦ｎ−１を満たす整数）から、サーバ４を介して、転送先端末である端末３−（ｊ＋１）に順に転送される。ダミーメール２０は、端末３−ｊと端末３−（ｊ＋１）とのアドレスを含む転送ログを有する。ダミーメール２０が端末３−ｊからサーバ４を介して端末３−（ｊ＋１）に転送されるとき、サーバ４は、ダミーメール２０を端末３−ｊから受信して、ダミーメール２０が有する転送ログに含まれる端末３−ｊと端末３−（ｊ＋１）とのアドレスを抽出して、転送ログとして端末３−ｊと端末３−（ｊ＋１）とのアドレスを転送ログデータベースに登録する。ここで、サーバ４は、送信条件に含まれる転送制限条件が満たされたか否かを判定し、判定の結果、転送制限条件が満たされないとき、端末３−（ｊ＋１）のアドレスを端末３−１〜端末３−ｎのうちの転送ログデータベースに登録されたアドレス以外の転送先端末のアドレスに代えてダミーメール２０を再転送するように通知するためのアラートを電子メールによって、端末３−ｊのアドレスに基づいて発信元端末である端末３−ｊに送信する。また、サーバ４は、送信条件が満たされたか否かを判定し、判定の結果、送信条件が満たされたとき、端末３−１〜端末３−（ｊ＋１）のアドレスに基づいてメインメール１０を端末３−１〜端末３−（ｊ＋１）に送信する。送信条件が満たされた場合、端末３−（ｊ＋１）は端末３−ｎである。
【００４８】
これにより、本発明の電子メール転送システムによれば、依頼主Ａは、依頼主端末１に登録されている個人（転送者Ｃ−１）に加えて依頼主端末１に登録されていない個人（転送者Ｃ−２、…、Ｃ−ｎ）にもメインメール１０に関する情報をダミーメール２０によって配信（送信／転送）することができる。
【００４９】
また、本発明の電子メール転送システムによれば、メインメール１０が転送者Ｃ−２、…、Ｃ−ｎに送信される旨をダミーメール２０（広告主Ｂの広告情報を含む広告メール２０）によって事前に知らせることができるため、広告主Ｂは、広告主端末２に登録されている個人（転送者Ｃ−１）に加えて広告主端末２に登録されていない個人（転送者Ｃ−２、…、Ｃ−ｎ）にも広告主Ｂの広告情報（広告、ＣＭ、ポスターを表す）を配信（送信／転送）することができる。
【００５０】
図２は、依頼主端末１の構成を示すブロック図である。依頼主端末１は、電子メールを利用することができるパーソナルコンピュータ、携帯端末、携帯電話機を含む。この依頼主端末１は、制御装置１１、表示装置１７、出力装置１８、入力装置１９を備えている。表示装置１７は、液晶を含むディスプレイである。出力装置１８は、パーソナルコンピュータ、携帯端末の場合、音を出力する音出力装置を含み、携帯電話機の場合、受話（電話）を行うための受話装置と、音を出力する音出力装置を含む。入力装置１９は、パーソナルコンピュータ、携帯端末の場合、電子メールを利用するためのマウス、キーボードを含み、携帯電話機の場合、電話、電子メールを利用するための操作装置と、送話（電話）を行うためのマイクを含む送話装置とを含む。
【００５１】
制御装置１１は、コンピュータプログラムである受信部１２、制御部１３、表示部１４、送信部１５を備え、データベース１６を有する。制御部１３は、受信部１２を制御する。制御部１３は、入力装置１９の操作により出力装置１８、表示部１４、送信部１５を制御する。受信部１２は電子メールを受信する。制御部１３は、電子メールをデータベース１６に登録する。表示部１４は、電子メールを表示装置１７に表示する。送信部１５は、入力装置１９の操作により電子メールを送信する。
【００５２】
図３は、広告主端末２の構成を示すブロック図である。広告主端末２は、電子メールを利用することができるパーソナルコンピュータ、携帯端末、携帯電話機を含む。この広告主端末２は、制御装置２１、表示装置２７、出力装置２８、入力装置２９を備えている。表示装置２７は、液晶を含むディスプレイである。出力装置２８は、パーソナルコンピュータ、携帯端末の場合、音を出力する音出力装置を含み、携帯電話機の場合、受話（電話）を行うための受話装置と、音を出力する音出力装置を含む。入力装置２９は、パーソナルコンピュータ、携帯端末の場合、電子メールを利用するためのマウス、キーボードを含み、携帯電話機の場合、電話、電子メールを利用するための操作装置と、送話（電話）を行うためのマイクを含む送話装置とを含む。
【００５３】
制御装置２１は、コンピュータプログラムである受信部２２、制御部２３、表示部２４、送信部２５を備え、データベース２６を有する。制御部２３は、受信部２２を制御する。制御部２３は、入力装置２９の操作により出力装置２８、表示部２４、送信部２５を制御する。受信部２２は電子メールを受信する。制御部２３は、電子メールをデータベース２６に登録する。表示部２４は、電子メールを表示装置２７に表示する。送信部２５は、入力装置２９の操作により電子メールを送信する。
【００５４】
図４は、端末３−ｊの構成を示すブロック図である。端末３−ｊは、電子メールを利用することができるパーソナルコンピュータ、携帯端末、携帯電話機を含む。この端末３−ｊは、制御装置３１、表示装置３７、出力装置３８、入力装置３９を備えている。表示装置３７は、液晶を含むディスプレイである。出力装置３８は、パーソナルコンピュータ、携帯端末の場合、音を出力する音出力装置を含み、携帯電話機の場合、受話（電話）を行うための受話装置と、音を出力する音出力装置を含む。入力装置３９は、パーソナルコンピュータ、携帯端末の場合、電子メールを利用するためのマウス、キーボードを含み、携帯電話機の場合、電話、電子メールを利用するための操作装置と、送話（電話）を行うためのマイクを含む送話装置とを含む。
【００５５】
制御装置３１は、コンピュータプログラムである受信部３２、制御部３３、表示部３４、転送処理部３５を備え、データベース３６を有する。制御部３３は、受信部３２を制御する。制御部３３は、入力装置３９の操作により出力装置３８、表示部３４、転送処理部３５を制御する。受信部３２は電子メールを受信する。制御部３３は、電子メールをデータベース３６に登録する。表示部３４は、電子メールを表示装置３７に表示する。転送処理部３５は、入力装置３９の操作により電子メールを送信する。
【００５６】
ここで、本実施例では、端末３−ｊ（端末３−１、３−２、…、３−ｎ）は、電子メールを利用することができる携帯電話機とする。
【００５７】
図５は、サーバ４の構成を示すブロック図である。サーバ４は、コンピュータプログラムであるメインメール送信部４１、メインメール受信部４２、ダミーメール送信部４３、ダミーメール受信部４４、Ｆｒｏｍ−Ｔｏアドレス抽出部４５、カウント部４６、ログ記録部４７、条件判定部４８、アラート送信部４９、残念メール送信部５０、タイマ部５１、タイマ監視部５２、課金処理部５３を備え、上述のメールデータベースであるメールデータベース５４、上述の転送ログデータベースである転送ログデータベース５５、送信先アドレスデータベース５６、転送制限条件データベース５７、メインメール送信条件データベース５８、個人プロファイルデータベース５９、ロケーションデータベース６０、課金データベース６１を有する。また、サーバ４は、入力装置６２、表示装置６３を備えている。入力装置６２は、マウス、キーボードを含む。表示装置６３は、液晶を含むディスプレイである。
【００５８】
ダミーメール受信部４４は、広告主端末２からの広告メール２０を受信してメールデータベース５４に格納する。メインメール受信部４２は、依頼主端末１からのメインメール１０と、メインメール１０の送信条件（広告メール２０の転送制限条件を含む）を含む電子メールとを受信してメールデータベース５４に格納する。送信先アドレスデータベース５６には、ダミーメール送信部４３がダミーメール２０（広告メール２０）を最初に送信するための転送者端末として、端末３−１、３−２、…、３−ｎのうちの予め決められた端末３−１のアドレスが登録されている。ダミーメール送信部４３は、メインメール１０の受信に応じて、メインメール１０の送信条件を含むダミーメール２０を端末３−１に送信する。
【００５９】
ダミーメール受信部４４は、端末３−ｊからｊ番目のダミーメール２０を受信する。Ｆｒｏｍ−Ｔｏアドレス抽出部４５は、ダミーメール受信部４４が受信したｊ番目のダミーメール２０に含まれる端末３−ｊと端末３−（ｊ＋１）とのアドレスを抽出する。このダミーメール２０は、発信元端末である端末３−ｊから転送先端末である端末３−（ｊ＋１）に転送される転送ログ６を有する。転送ログ６は、例えば図６に示されるようなフォーマットで表される。図６は、転送ログ６の概念を示す。転送ログ６は、欄６−１〜６−５を含む。欄６−１には、ダミーメール送信部４３によって、ダミーメール２０の識別番号を示すメールＩＤが登録されている。欄６−２には、端末３−ｊによって、発信元端末（送信元端末）である端末３−ｊのアドレスが情報として登録される。欄６−３には、端末３−ｊによって、転送先端末である端末３−（ｊ＋１）のアドレスが情報として登録される。欄６−４には、ダミーメール受信部４４によって、端末３−ｊからダミーメール２０を受信したときの時間を表す転送時間が情報として登録される。欄６−５には、ダミーメール受信部４４によって、端末３−（ｊ＋１）が携帯電話機の場合、端末３−（ｊ＋１）が滞在する場所を表す転送先場所が情報として登録される。端末３−（ｊ＋１）が滞在する場所は、端末３−（ｊ＋１）を所持する転送者Ｃ−（ｊ＋１）が滞在する場所を意味する。
【００６０】
転送先場所の登録において、端末３−（ｊ＋１）が携帯電話機であり、ダミーメール２０が場所特定部１０５（基地局、衛星）を介してサーバ４に転送される場合、ダミーメール受信部４４は、Ｆｒｏｍ−Ｔｏアドレス抽出部４５が抽出した端末３−（ｊ＋１）のアドレスに基づいて、に転送先場所を情報として要求するための転送先場所要求を場所特定部１０５（例えば基地局）に送信する。転送先場所要求は、端末３−（ｊ＋１）のアドレスとサーバ４のアドレスとを含む。基地局は、転送先場所要求に含まれる端末３−（ｊ＋１）のアドレスに基づいて、基地局から端末３−（ｊ＋１）の電波の強さを情報として取得し、転送先場所要求に含まれるサーバ４のアドレスに基づいて、取得した電波の強さをサーバ４に送信する。ロケーションデータベース６０には、電波の強さと転送先場所とが対応付けられて登録されている。ダミーメール受信部４４は、ロケーションデータベース６０を参照して、転送先場所を認識し、その転送先場所を情報として欄６−５に登録する。本発明の電子メール転送システムにおいて、転送先場所の登録は上記の説明に限定されない。
【００６１】
図７は、転送ログデータベース５５を示す。転送ログデータベース５５は、欄５５−１〜５５−７を含む。ダミーメール送信部４３がダミーメール２０を端末３−１に送信したとき、転送ログデータベース５５の欄５５−１、５５−２、５５−３、５５−４、５５−５、５５−６には、ログ記録部４７によって、１番目の転送ログの記録として、メールＩＤ、発信元端末（発信元サーバ）であるサーバ４のアドレス、転送先端末である端末３−１のアドレス、カウント値“１”、ダミーメール送信部４３がダミーメール２０を端末３−１に送信したときの時間を表す転送時間、端末３−１が携帯電話機の場合、端末３−１を所持する転送者Ｃ−１が滞在する場所を表す転送先場所が情報として登録される。カウント値“１”は、１番目の転送ログと、ダミーメール２０が転送された転送者端末を所有する転送者の人数“１”とを表し、カウント部４６によりカウントされる。例えば、カウント値“１”の場合、図７に示される欄５５−１、５５−２、５５−３、５５−４、５５−５、５５−６には、“メールＩＤ”、“○○○＠○○○”、“×××＠×××”、“１”、“２００２．２．１．１３：４５”、“東京都渋谷区”、“（記号なし）”が登録される。また、カウント値“２”の場合、図７に示される欄５５−１、５５−２、５５−３、５５−４、５５−５、５５−６には、“メールＩＤ”、“×××＠×××”、“△△△＠△△△”、“２”、“２００２．２．１．２０：００”、“東京都…”、“（記号なし）”が登録される。欄５５−１、５５−２、５５−３、５５−４、５５−５、５５−６は、これに限定されない。
【００６２】
ログ記録部４７は、ｊ番目のダミーメール２０が有する転送ログ６として、メールＩＤ、発信元端末である端末３−ｊのアドレス、転送先端末である端末３−（ｊ＋１）のアドレス、転送時間、転送先場所を読取る。条件判定部４８は、転送先端末である端末３−（ｊ＋１）のアドレスが、欄５５−３に登録されたアドレスと重複するか否かを判定する。例えば、転送先端末である端末３−（ｊ＋１）のアドレスが端末３−１のアドレスと重複する場合、アラート送信部４９は、転送ログデータベース５５を参照して、端末３−ｊのアドレスに基づいて発信元端末である端末３−ｊにアラートを電子メールによって送信する。このアラートは、端末３−（ｊ＋１）のアドレスを端末３−１〜端末３−ｎのうちの転送ログデータベース５５の欄５５−３に登録されたアドレス以外の転送先端末のアドレスに代えてダミーメール２０を再転送するように通知するための電子メールである。転送先端末である端末３−（ｊ＋１）のアドレスが重複しない場合、カウント部４６は、欄５５−４を参照して、カウント値が“ｊ”の場合、１カウントする。ログ記録部４７は、カウント部４６によってカウントされた“ｊ＋１”を（ｊ＋１）番目の転送ログとして欄５５−４に登録する。また、ログ記録部４７は、（ｊ＋１）番目の転送ログとして、メールＩＤ、発信元端末である端末３−ｊのアドレス、転送先端末である端末３−（ｊ＋１）のアドレス、端末３−ｊからダミーメール２０を受信したときの時間を表す転送時間、端末３−（ｊ＋１）を所持する転送者Ｃ−（ｊ＋１）が滞在する場所を表す転送先場所を情報として、欄５５−１、５５−２、５５−３、５５−５、５５−６に登録する。カウント値“ｊ＋１”は、（ｊ＋１）番目の転送ログと、端末３−ｊから端末３−（ｊ＋１）に転送される回数を示す転送回数とを表す。転送回数“ｊ＋１”は、ダミーメール２０が転送された転送者の人数“ｊ＋１”を意味する。
【００６３】
欄５５−７には、条件判定部４８によって、欄５５−７に対応付けられて欄５５−１〜５５−６に登録された転送ログを論理的に削除したことを表す記号が登録される。条件判定部４８は、後述の転送制限条件データベース５７を参照して、送信条件に含まれる転送制限条件が満たされたか否かを判定する。判定の結果、転送制限条件が満たされないとき、アラート送信部４９は、転送ログデータベース５５を参照して、端末３−ｊのアドレスに基づいて発信元端末である端末３−ｊにアラートを電子メールによって送信する。転送制限条件は、転送先｛例えば転送者３−（ｊ＋１）｝が滞在する転送先場所、転送先｛例えば転送者３−（ｊ＋１）｝の属性である。転送先の属性としては、転送先の性別、転送先の趣味、転送先の職業、転送先の結婚有無（独身、既婚）、転送先の年齢が含まれる。転送先が滞在する転送先場所、転送先の属性｛転送先の性別、転送先の趣味、転送先の職業、転送先の結婚有無（独身、既婚）、転送先の年齢｝は、予め決められた情報として、後述の転送制限条件データベース５７、メインメール送信条件データベース５８に登録される。また、転送先の属性｛転送先の性別、転送先の趣味、転送先の職業、転送先の結婚有無（独身、既婚）、転送先の年齢｝は、情報として、後述の個人プロファイルデータベース５９に登録されている。
【００６４】
図８は、転送制限条件データベース５７を示す。転送制限条件データベース５７は、欄５７−１〜５７−４を含む。ダミーメール送信部４３は、ダミーメール受信部４４が広告メール２０を受信してメールデータベース５４に格納し、メインメール受信部４２がメインメール１０と、メインメール１０の送信条件（広告メール２０の転送制限条件を含む）を含む電子メールとを受信してメールデータベース５４に格納したとき、メインメール１０の送信条件（広告メール２０の転送制限条件を含む）を含むダミーメール２０を生成する。ここで、送信条件としては、予め決められた転送回数ｎ（ダミーメール２０が転送される予め決められた転送者の人数ｎ）、ダミーメール２０が転送される予め決められた時間、上述の転送制限条件が含まれる。予め決められた時間は、タイマ監視部５２により監視条件として利用される。ダミーメール送信部４３がダミーメール２０を端末３−１に送信する前に、転送制限条件データベース５７の欄５７−１、５７−２、５７−３、５７−４には、ログ記録部４７によって、メールＩＤ、制限条件として転送制限条件に含まれる転送先場所、制限条件として送信条件に含まれる予め決められた時間、制限条件として転送制限条件｛予め決められた転送先の性別、予め決められた転送先の趣味、予め決められた転送先の職業、予め決められた転送先の結婚有無（独身、既婚）、予め決められた転送先の年齢｝が情報として登録される。例えば、図８に示される欄５７−１、５７−２、５７−３、５７−４には、予め決められた情報として、“メールＩＤ”、“＝東京  ＮＯＴ：北海道”、“２００２．２．８．２１：００”、“＝女性  ＮＯＴ：男性  ＆／ｏｒ  ＝独身  ＮＯＴ：既婚  ＆／ｏｒ  ＝映画好き  ＮＯＴ：ビデオ鑑賞”が登録される。図８に示される欄５７−１、５７−２、５７−３、５７−４は、これに限定されない。
【００６５】
この転送制限条件データベース５７は、転送制限条件の判定（転送制限条件判定処理）を行うときに条件判定部４８、アラート送信部４９によって利用される。本実施例において、欄５７−２に登録される転送先場所は、“東京”であり、条件判定部４８は、欄５７−２と転送ログデータベース５５の欄５５−６とを参照して、転送制限条件として転送先場所“東京”が満たされたか否かを判定する。判定の結果、転送制限条件が満たされないとき、アラート送信部４９は、転送ログデータベース５５の欄５５−２を参照して、端末３−ｊのアドレスに基づいて発信元端末である端末３−ｊにアラートを電子メールによって送信する。また、本実施例において、欄５７−４に登録される転送制限条件は、転送先の性別として“女性”、転送先の結婚有無として“独身”、転送先の趣味として“映画好き”であり、条件判定部４８は、欄５７−４と後述の個人プロファイルデータベース５９と転送ログデータベース５５の欄５５−３とを参照して、転送制限条件として転送先の性別“女性”、転送先の結婚有無“独身”、転送先の趣味“映画好き”が満たされたか否かを判定する。判定の結果、転送先の性別“女性”、転送先の結婚有無“独身”、転送先の趣味“映画好き”が満たされないとき、アラート送信部４９は、転送ログデータベース５５の欄５５−２を参照して、端末３−ｊのアドレスに基づいて発信元端末である端末３−ｊにアラートを電子メールによって送信する。また、本実施例において、欄５７−３に登録される予め決められた時間は、“２００２年２月８日２１時”である。ここで、メインメール１０に含まれるインセンティブに関する情報は、図１１に示されるように、映画の招待券の案内である。例えば、この映画は、独身女性を対象とした恋愛映画である。
【００６６】
図９は、メインメール送信条件データベース５８を示す。メインメール送信条件データベース５８は、欄５８−１〜５８−５を含む。ダミーメール送信部４３がダミーメール２０を端末３−１に送信する前に、メインメール送信条件データベース５８の欄５８−１、５８−２、５８−３、５８−４、５８−５には、ログ記録部４７によって、メールＩＤ、制限条件として送信条件に含まれる予め決められた転送者の人数、制限条件として転送制限条件に含まれる転送先場所、制限条件として送信条件（監視条件）に含まれる予め決められた時間、制限条件として転送制限条件｛予め決められた転送先の性別、予め決められた転送先の趣味、予め決められた転送先の職業、予め決められた転送先の結婚有無（独身、既婚）、予め決められた転送先の年齢｝が情報として登録される。例えば、図９に示される欄５８−１、５８−２、５８−３、５８−４、５８−５には、予め決められた情報として、“メールＩＤ”、“１００”、“＝東京  ＮＯＴ：北海道”、“２００２．２．８．２１：００”、“＝女性  ＮＯＴ：男性  ＆／ｏｒ  ＝独身ＮＯＴ：既婚  ＆／ｏｒ  ＝映画好き  ＮＯＴ：ビデオ鑑賞”が登録される。図９に示される欄５８−１、５８−２、５８−３、５８−４、５８−５は、これに限定されない。
【００６７】
このメインメール送信条件データベース５８は、転送制限条件判定処理を行った結果、転送制限条件が満たされたときにメインメール送信部４２、条件判定部４８、残念メール送信部５０、タイマ監視部５２によって利用される。タイマ部５１は、時間を刻む時計のような機能を有する。本実施例において、欄５８−４に登録される予め決められた時間は、欄５７−３と同様に、“２００２年２月８日２１時”であり、タイマ監視部５２は、欄５８−４と転送ログデータベース５５の欄５５−５とを参照して、送信条件として予め決められた時間“２００２年２月８日２１時”が満たされたか（監視条件としてタイマ部５１が刻んだ時間が予め決められた時間“２００２年２月８日２１時”を経過していないか）否かを判定する。判定の結果、送信条件が満たされないとき（予め決められた時間“２００２年２月８日２１時”を経過して監視条件が満たされたとき）、残念メール送信部５０は、転送ログデータベース５５の欄５５−３を参照して端末３−１〜端末３−ｊ、依頼主端末１に、メインメール１０の送信条件が満たされないことを表す残念メールを送信する。残念メールを送信した場合、メインメール送信部４２は、メインメール１０の送信条件が満たされないためにメインメール１０を送信しない。
【００６８】
また、本実施例において、欄５８−２に登録される予め決められた転送者の人数は、“１００人”であり、条件判定部４８は、予め決められた時間“２００２年２月８日２１時”を経過しておらず監視条件が満たされないとき、欄５８−２と転送ログデータベース５５の欄５５−４とを参照して、送信条件として予め決められた転送者の人数“１００人”が満たされたか否かを判定する。判定の結果、予め決められた転送者の人数“１００人”が満たされないとき、ダミーメール送信部４３は、転送ログデータベース５５の欄５５−３を参照して転送先端末である端末３−（ｊ＋１）に、ダミーメール２０を送信する。一方、判定の結果、予め決められた転送者の人数“１００人”が満たされたとき、メインメール送信部４３は、転送ログデータベース５５の欄５５−３を参照して、転送先端末である端末３−（ｊ＋１）に、１００人目であることを通知する案内としてダミーメール２０を送信し、メールデータベース５４に格納されたメインメール１０を、端末３−１〜端末３−（ｊ＋１）のアドレスに基づいて端末３−１〜端末３−（ｊ＋１）に送信する。
【００６９】
また、本実施例において、欄５８−３に登録される転送先場所は、欄５７−２と同様に、“東京”である。また、本実施例において、欄５８−５に登録される転送制限条件は、欄５７−４と同様に、転送先の性別として“女性”、転送先の結婚有無として“独身”、転送先の趣味として“映画好き”である。
【００７０】
図１０は、個人プロファイルデータベース５９を示す。個人プロファイルデータベース５９は、欄５９−１〜５９−８を含む。個人プロファイルデータベース５９には、依頼主端末１のアドレス、依頼主Ａの電話番号、依頼主Ａの氏名、依頼主Ａの性別“男性”、依頼主Ａの趣味“映画”、依頼主Ａの職業“会社員（○○リサーチ社）”、依頼主Ａの結婚有無“既婚”、依頼主Ａの年齢“４５”が対応付けられて情報として、欄５９−１、５９−２、５９−３、５９−４、５９−５、５９−６、５９−７、５９−８に登録されている。また、個人プロファイルデータベース５９には、広告主端末２のアドレス、広告主Ｂの電話番号、広告主Ｂの氏名、広告主Ｂの性別“男性”、広告主Ｂの趣味“映画”、広告主Ｂの職業“会社員（○○株式会社）”、広告主Ｂの結婚有無“既婚”、依頼主Ｂの年齢“３９”が対応付けられて情報として、欄５９−１、５９−２、５９−３、５９−４、５９−５、５９−６、５９−７、５９−８に登録されている。また、個人プロファイルデータベース５９には、転送者端末端末３−１〜端末３−ｎのアドレス、転送者Ｃ−１〜Ｃ−ｎの電話番号、転送者Ｃ−１〜Ｃ−ｎの氏名、転送者Ｃ−１〜Ｃ−ｎの性別、転送者Ｃ−１〜Ｃ−ｎの趣味、転送者Ｃ−１〜Ｃ−ｎの職業、転送者Ｃ−１〜Ｃ−ｎの結婚有無、転送者Ｃ−１〜Ｃ−ｎの年齢が対応付けられて情報として、欄５９−１、５９−２、５９−３、５９−４、５９−５、５９−６、５９−７、５９−８に登録されている。
【００７１】
例えば、図１０に示される欄５９−１、５９−２、５９−３、５９−４、５９−５、５９−６、５９−７、５９−８には、“＊＊＊＠＊＊＊”、“０９０−＊＊＊＊−＊＊＊＊”、“（依頼主名）”、“男性”、“映画”、“会社員（○○リサーチ社）”、“既婚”、“４５”が登録される。また、欄５９−１、５９−２、５９−３、５９−４、５９−５、５９−６、５９−７、５９−８には、“＊＊×＠＊＊×”、“０９０−＊＊××−＊＊××”、“（広告主名）”、“男性”、“映画”、“会社員（○○株式会社）”、“既婚”、“３９”が登録される。また、欄５９−１、５９−２、５９−３、５９−４、５９−５、５９−６、５９−７、５９−８には、“○×△＠○×△”、“０９０−○△××−○△××”、“○△  ○△（転送者名）”、“男性”、“ビデオ鑑賞”、“会社員”、“未婚”、“２７”が登録される。また、欄５９−１、５９−２、５９−３、５９−４、５９−５、５９−６、５９−７、５９−８には、“×××＠×××”、“０９０−○○○○−○○○○”、“○○  ○○（転送者名）”、“女性”、“映画”、“会社員”、“未婚”、“２３”が登録される。図１０に示される欄５９−１、５９−２、５９−３、５９−４、５９−５、５９−６、５９−７、５９−８は、これに限定されない。
【００７２】
この個人プロファイルデータベース５９は、転送制限条件データベース５７と共に、転送制限条件の判定（転送制限条件判定処理）を行うときに条件判定部４８、アラート送信部４９によって利用される。また、個人プロファイルデータベース５９は、課金処理を行うときに課金処理部５３によって利用される。業者Ｄは、依頼主Ａ、広告主Ｂ、転送者Ｃ−１〜Ｃ−ｎと提携している。
【００７３】
メインメール送信部４１がメインメール１０を送信した場合、課金処理部５３は、転送ログデータベース５５を参照して、メインメール１０の通信料金及び使用料金と、ダミーメール２０の通信料金及び使用料金とを決定する。メインメール１０の通信料金は、メインメール送信部４１がメインメール１０を端末３−１〜端末３−（ｊ＋１）に送信したときの料金である。ダミーメール２０の通信料金は、ダミーメール２０が端末３−１〜端末３−（ｊ＋１）に転送されたときの料金である。課金処理部５３は、メインメール１０の通信料金及び使用料金を請求するためのメインメール課金通知（メインメール１０の通信料金及び使用料金が記載された通信料金電子メール）と、ダミーメール２０の通信料金及び使用料金を請求するためのダミーメール課金通知（ダミーメール２０の通信料金及び使用料金が記載された通信料金電子メール）とを出力用端末に送信する。ここで、出力用端末は、依頼主端末１、広告主端末２、上述の“映画”のスポンサーが利用する端末が例示される。例えば、課金処理部５３は、メインメール課金通知を依頼主端末１に送信して依頼主Ａに通知し、ダミーメール課金通知を広告主端末２に送信して広告主Ｂに通知する。この場合、課金処理部５３は、依頼主Ａのアドレスとメインメール課金通知とを対応付けて課金データベース６１に登録し、広告主Ｂのアドレスとダミーメール課金通知とを対応付けて課金データベース６１に登録する。
【００７４】
また、残念メール送信部５０が残念メールを送信した場合、課金処理部５３は、転送ログデータベース５５を参照して、残念メールの通信料金及び使用料金と、ダミーメール２０の通信料金及び使用料金とを決定する。残念メールの通信料金は、残念メール送信部５０が残念メールを例えば端末３−１〜端末３−ｊ、依頼主端末１に送信したときの料金である。ダミーメール２０の通信料金は、ダミーメール送信部４３がダミーメール２０を端末３−１〜端末３−ｊに送信したときの料金である。課金処理部５３は、残念メールの通信料金及び使用料金を請求するためのメインメール課金通知（この場合、残念メールの通信料金及び使用料金が記載された通信料金電子メール）と、ダミーメール２０の通信料金及び使用料金を請求するためのダミーメール課金通知とを出力用端末に送信する。
【００７５】
また、課金処理部５３がメインメール課金通知及びダミーメール課金通知を出力用端末に送信する前に例えば端末３−ｊから課金変更通知を受信した場合、課金処理部５３は、転送ログデータベース５５を参照して、メインメール１０（あるいは残念メール）の通信料金及び使用料金と、ダミーメール２０の通信料金及び使用料金とを決定する。課金処理部５３は、メインメール１０（あるいは残念メール）の通信料金及び使用料金と、ダミーメール２０の通信料金及び使用料金とを請求するための転送者課金通知｛メインメール１０（あるいは残念メール）、ダミーメール２０の通信料金及び使用料金が記載された通信料金電子メール｝を端末３−ｊに送信して転送者Ｃ−ｊに通知する。この場合、課金処理部５３は、転送者３−ｊのアドレスと、転送者課金通知とを対応付けて課金データベース６１に登録する。
【００７６】
これにより、本発明の電子メール転送システムによれば、転送ログデータベース５５と個人プロファイルデータベース５９とを用いて、課金先を柔軟に変更することができる。
【００７７】
図１２は、ダミーメール２０のフォーマットを示す。ダミーメール２０は、欄２０−１〜２０−６、ボタン２０−７〜２０−９を含む。ダミーメール送信部４３がダミーメール２０を端末３−１に送信する前に、欄２０−１には、ダミーメール送信部４３によって、広告主Ｂの広告情報（広告、ＣＭ、ポスターを表す）が登録／記載される。欄２０−２には、ログ記録部４７によって、転送ログ６の欄６−１と同様のメールＩＤが登録／記載される。欄２０−５には、ログ記録部４７が転送ログデータベース５５を参照することによって、カウント値“１”が登録／記載される。欄２０−６には、ログ記録部４７がメインメール送信条件データベースを参照することによって、転送制限条件を含む送信条件（予め決められた転送者の人数“１００人”、予め決められた時間“２００２年２月８日２１時”、予め決められた転送先場所“東京”、予め決められた転送先の性別“女性”、予め決められた転送先の結婚有無“独身”、予め決められた転送先の趣味“映画好き”）が登録／記載される。
【００７８】
ダミーメール送信部４３がダミーメール２０を端末３−ｊに送信した場合、欄２０−５には、ログ記録部４７が転送ログデータベース５５を参照することによって、カウント値“ｊ”が登録／記載される。端末３−ｊの受信部３２は、ダミーメール送信部４３からダミーメール２０を受信する。端末３−ｊの制御部３３は、ダミーメール２０をデータベース３６に登録する。端末３−ｊの表示部３４は、自動的に又は転送者Ｃ−ｊによる入力装置３９の操作によりダミーメール２０を表示装置３７に表示する。このとき、広告情報、メールＩＤ、カウント値“ｊ”（転送回数）、転送制限条件を含む送信条件が記載されたダミーメール２０は、端末３−ｊの表示装置３７に表示され、ダミーメール２０のボタン２０−９は表示装置３７に表示されない。転送処理部３５は、転送者Ｃ−ｊによる入力装置３９の操作により、欄２０−３に発信元端末である端末３−ｊのアドレスを入力し、欄２０−４に転送先端末である端末３−（ｊ＋１）のアドレスを入力し、ボタン２０−７を押下したとき、ダミーメール２０を、サーバ４を介して端末３−（ｊ＋１）に転送する。ボタン２０−７が押下されたとき、転送ログ６の欄６−２には、欄２０−３に入力された端末３−ｊのアドレスが登録され、欄６−３には、欄２０−４に入力された端末３−（ｊ＋１）のアドレスが登録される。転送処理部３５は、転送者Ｃ−ｊによる入力装置３９の操作により、ボタン２０−８を押下したとき、表示装置３７に表示されたダミーメール２０を閉じる（ダミーメール２０の表示を終了する）。
【００７９】
転送者Ｃ−ｊが端末３−ｊを用いてダミーメール２０を転送した後、ダミーメール２０が何人の転送者（に属す転送者端末）に転送されたかを調べるために、転送者Ｃ−ｊは、入力装置３９を操作して、転送処理部３５は、転送者Ｃ−ｊによる入力装置３９の操作により、データベース３６に登録されたダミーメール２０を表示装置３７に表示する。このとき、ボタン２０−７が表示装置３７に表示されない。転送処理部３５は、転送者Ｃ−ｊによる入力装置３９の操作により、ボタン２０−９を押下したとき、転送ログデータベース５５に登録されているカウント値を問い合わせるための途中経過問合せ通知をサーバ４に送信する。この途中経過問合せ通知には、欄２０−３に入力された端末３−ｊのアドレスが含まれる。サーバ４のダミーメール受信部４４は、転送者Ｃ−ｊからの途中経過問合せ通知を受信し、ログ記録部４７は、途中経過問合せ通知に基づいて、転送ログデータベース５５を参照して、転送者Ｃ−ｊから途中経過問合せ通知を受信した時点のカウント値を読込む。ダミーメール送信部４３は、そのカウント値をダミーメール２０の転送の途中経過として、端末３−ｊのアドレスに基づいて端末３−ｊに送信する。
【００８０】
次に、実施の形態１に係る電子メール転送システムの動作を説明する。図１３〜１６は、実施の形態１に係る電子メール転送システムの動作を示すフローチャートである。
【００８１】
図１３に示されるように、広告主端末２は、広告情報を含むダミーメール２０をサーバ４に送信する（ステップＳ１）。ダミーメール受信部４４は、広告主端末２からのダミーメール２０を受信し（ステップＳ２）、メールデータベース５４に登録する（ステップＳ３）。依頼主端末１は、メインメール１０と、メインメール１０の送信条件（広告メール２０の転送制限条件を含む）を含む電子メールとをサーバ４に送信する（ステップＳ４）。メインメール受信部４２は、依頼主端末１からのメインメール１０と、メインメール１０の送信条件を含む電子メールとを受信し（ステップＳ５）、メールデータベース５４に格納する（ステップＳ６）。ステップＳ６にて、ダミーメール送信部４３は、メインメール１０の受信に応じて、メインメール１０の送信条件（広告メール２０の転送制限条件を含む）を含むダミーメール２０を生成する。
【００８２】
次に、図１４に示されるように、サーバ４が例えば端末３−１〜端末３−（ｊ＋１）にメインメール１０を送信する場合、ダミーメール送信部４３は、送信先アドレスデータベース５６を参照して、メインメール１０の送信条件（広告メール２０の転送制限条件を含む）を含む図１２に示されたダミーメール２０を端末３−１に送信する（ステップＳ１１）。端末３−１の受信部３２は、ダミーメール送信部４３からダミーメール２０を受信する（ステップＳ１２）。転送処理部３５は、転送者Ｃ−１による入力装置３９の操作により、ダミーメール２０の欄２０−３に端末３−１のアドレスを入力し、転送先の指定として欄２０−４に例えば端末３−２のアドレスを入力し（ステップＳ１３）、ボタン２０−７を押下したとき、ダミーメール２０を、サーバ４を介して端末３−２に転送する（ステップＳ１４）。ステップＳ１４にて、ボタン２０−７が押下されたとき、転送ログ６の欄６−２には、欄２０−３に入力された端末３−１のアドレスが登録され、欄６−３には、欄２０−４に入力された端末３−２のアドレスが登録される。サーバ４は、端末３−１からのダミーメール２０に基づいて後述の転送処理を実行し（ステップＳ１５）、端末３−２にダミーメール２０を送信する（ステップＳ１６）。
【００８３】
端末３−２の受信部３２は、ダミーメール送信部４３からダミーメール２０を受信する（ステップＳ１７）。転送処理部３５は、転送者Ｃ−２による入力装置３９の操作により、ダミーメール２０の欄２０−３に端末３−２のアドレスを入力し、転送先の指定として欄２０−４に例えば端末３−ｊのアドレスを入力し（ステップＳ１８）、ボタン２０−７を押下したとき、ダミーメール２０を、サーバ４を介して端末３−ｊに転送する（ステップＳ１９）。ステップＳ１４にて、ボタン２０−７が押下されたとき、転送ログ６の欄６−２には、欄２０−３に入力された端末３−２のアドレスが登録され、欄６−３には、欄２０−４に入力された端末３−ｊのアドレスが登録される。サーバ４は、端末３−２からのダミーメール２０に基づいて後述の転送処理を実行し（ステップＳ２０）、端末３−ｊにダミーメール２０を送信する（ステップＳ２１）。端末３−ｊの受信部３２は、ダミーメール送信部４３からダミーメール２０を受信する（ステップＳ２２）。
【００８４】
図１５に示されるように、端末３−ｊの転送処理部３５は、転送者Ｃ−ｊによる入力装置３９の操作により、ダミーメール２０の欄２０−３に端末３−ｊのアドレスを入力し、転送先の指定として欄２０−４に例えば端末３−（ｊ＋１）のアドレスを入力し（ステップＳ２３）、ボタン２０−７を押下したとき、ダミーメール２０を、サーバ４を介して端末３−（ｊ＋１）に転送する（ステップＳ２４）。ステップＳ１４にて、ボタン２０−７が押下されたとき、転送ログ６の欄６−２には、欄２０−３に入力された端末３−ｊのアドレスが登録され、欄６−３には、欄２０−４に入力された端末３−（ｊ＋１）のアドレスが登録される。サーバ４は、端末３−ｊからのダミーメール２０に基づいて後述の転送処理を実行し（ステップＳ２５）、送信条件が満たされたとき、送信条件が満たされたことを通知するダミーメール２０を端末３−（ｊ＋１）に送信する（ステップＳ２６）。端末３−（ｊ＋１）の受信部は、ダミーメール送信部４３からダミーメール２０を受信する（ステップＳ２７）。また、サーバ４は、送信条件が満たされたとき（ｎ＝ｊ＋１）、メールデータベース５４に格納されたメインメール１０を、端末３−１〜端末３−（ｊ＋１）のアドレスに基づいて端末３−１〜端末３−（ｊ＋１）に送信する（ステップＳ２８）。端末３−１〜端末３−（ｊ＋１）の受信部３２は、サーバ４からのメインメール１０を受信する（ステップＳ２９、Ｓ３０、Ｓ３１、Ｓ３２）。
【００８５】
一方、サーバ４が例えば端末３−１〜端末３−ｊ、依頼主端末１に残念メールを送信する場合、実施の形態１に係る電子メール転送システムは、図１４に示されたステップＳ１１〜Ｓ２２を実行し、図１６に示されるように、サーバ４は、監視条件に基づいて後述の転送処理を実行し（ステップＳ３３）、送信条件が満たされないとき、端末３−１〜端末３−ｊに、残念メールを送信する（ステップＳ３４）。図示していないがステップＳ３４にて、サーバ４は、送信条件が満たされないとき、依頼主端末１に残念メールを送信する。端末３−１〜端末３−ｊの受信部３２は、サーバ４からの残念メールを受信する（ステップＳ３５、Ｓ３６、Ｓ３７）。図示していないが依頼主端末１は、サーバ４からの残念メールを受信する。
【００８６】
図１７〜２０は、実施の形態１に係る電子メール転送システムのメールサーバにおける転送処理の動作を示すフローチャートである。
【００８７】
図１７に示されるように、ダミーメール受信部４４は、端末３−ｊからｊ番目のダミーメール２０を受信したとき（ステップＳ４１−ＹＥＳ）、Ｆｒｏｍ−Ｔｏアドレス抽出部４５は、ダミーメール受信部４４が受信したｊ番目のダミーメール２０に含まれる端末３−ｊと端末３−（ｊ＋１）とのアドレスを抽出する（ステップＳ４２）。ログ記録部４７は、ｊ番目のダミーメール２０が有する転送ログ６として、メールＩＤ、発信元端末である端末３−ｊのアドレス、転送先端末である端末３−（ｊ＋１）のアドレス、転送時間、転送先場所を読取る（ステップＳ４３）。条件判定部４８は、転送ログデータベース５５を参照して、転送先端末である端末３−（ｊ＋１）のアドレスが、欄５５−３に登録されたアドレスと重複するか否かを判定する（ステップＳ４４）。転送先端末である端末３−（ｊ＋１）のアドレスが例えば端末３−１のアドレスと重複する場合（ステップＳ４４−ＹＥＳ）、アラート送信部４９は、転送ログデータベース５５を参照して、端末３−ｊのアドレスに基づいて発信元端末である端末３−ｊにアラートを電子メールによって送信する（ステップＳ４５）。一方、転送先端末である端末３−（ｊ＋１）のアドレスが重複しない場合（ステップＳ４４−ＮＯ）、カウント部４６は、欄５５−４を参照して、カウント値が“ｊ”の場合、１カウントする（ステップＳ４６）。ログ記録部４７は、（ｊ＋１）番目の転送ログとして、メールＩＤ、発信元端末である端末３−ｊのアドレス、転送先端末である端末３−（ｊ＋１）のアドレス、カウント部４６によってカウントされた“ｊ＋１（転送回数）”、端末３−ｊからダミーメール２０を受信したときの時間を表す転送時間、端末３−（ｊ＋１）を所持する転送者Ｃ−（ｊ＋１）が滞在する場所を表す転送先場所を対応付けて、転送ログデータベース５５の欄５５−１〜５５−６に登録する（ステップＳ４７）。
【００８８】
図１８に示されるように、条件判定部４８は、転送制限条件データベース５７を参照して転送制限条件を読込む（ステップＳ４８）。転送制限条件データベース５７に転送制限条件がある場合（ステップＳ４９−ＹＥＳ）、実施の形態１に係る電子メール転送システムは、転送制限条件判定処理を実行し（ステップＳ５０）、条件判定部４８は、メインメール送信条件データベース５８を参照して送信条件（監視条件）を読込む（ステップＳ５１）。条件判定部４８は、転送制限条件データベース５７に転送制限条件がない場合（ステップＳ４９−ＮＯ）、ステップＳ５１を実行する。タイマ監視部５２は、条件判定部４８により読込まれた監視条件が一致（タイマ部５１が刻んだ時間が予め決められた時間“２００２年２月８日２１時”を経過していないか）するか否かを判定する（ステップＳ５２）。判定の結果、監視条件が一致したとき（ステップＳ５２−ＹＥＳ）、残念メール送信部５０は、転送ログデータベース５５を参照して１番目〜ｊ番目の転送ログを読込み（ステップＳ５３）、端末３−１〜端末３−ｊに、メインメール１０の送信条件が満たされないことを表す残念メールを送信する（ステップＳ５４）。監視条件の一致は、送信条件として予め決められた転送者の人数“１００人”（ｎ＝１００）が満たされずに、予め決められた時間“２００２年２月８日２１時”を経過したことを意味する。また、図示していないがステップＳ５４にて、残念メール送信部５０は、依頼主端末１に残念メールを送信する。
【００８９】
監視条件が一致しないとき（ステップＳ５２−ＮＯ）、図１９に示されるように、条件判定部４８は、転送ログデータベース５５を参照して、送信条件が一致する（転送回数“ｊ＋１”が予め決められた転送回数ｎを満たしている）か否かを判定する（ステップＳ５５）。判定の結果、送信条件が一致しないとき（ステップＳ５５−ＮＯ）、ダミーメール送信部４３は、転送ログデータベース５５を参照して（ｊ＋１）番目の転送ログを読込み（ステップＳ５６）、転送先端末である端末３−（ｊ＋１）に、ダミーメール２０を送信する（ステップＳ５７）。一方、判定の結果、送信条件が一致したとき（ステップＳ５５−ＹＥＳ）、メインメール送信部４３は、転送ログデータベース５５を参照して１番目〜（ｊ＋１）番目の転送ログを読込み（ステップＳ５８）、転送先端末である端末３−（ｊ＋１）に１００人目であることを通知する案内（メインメール送信の案内）としてダミーメール２０を送信し（ステップＳ５９）、メールデータベース５４に格納されたメインメール１０を、端末３−１〜端末３−（ｊ＋１）のアドレスに基づいて端末３−１〜端末３−（ｊ＋１）に送信する（ステップＳ６０）。
【００９０】
また、図２０に示されるように、ダミーメール受信部４４が端末３−ｊからｊ番目のダミーメール２０を受信しないとき（ステップＳ４１−ＮＯ）、条件判定部４８は、メインメール送信条件データベース５８を参照して送信条件（監視条件）を読込む（ステップＳ６１）。タイマ監視部５２は、条件判定部４８により読込まれた監視条件が一致（タイマ部５１が刻んだ時間が予め決められた時間“２００２年２月８日２１時”を経過していないか）するか否かを判定する（ステップＳ６２）。判定の結果、予め決められた時間“２００２年２月８日２１時”を経過して監視条件が一致したとき（ステップＳ６２−ＹＥＳ）、残念メール送信部５０は、転送ログデータベース５５を参照して１番目〜ｊ番目の転送ログを読込み（ステップＳ６３）、端末３−１〜端末３−ｊに、メインメール１０の送信条件が満たされないことを表す残念メールを送信する（ステップＳ６４）。また、図示していないがステップＳ６４にて、残念メール送信部５０は、依頼主端末１に残念メールを送信する。
【００９１】
図２１〜２３は、実施の形態１に係る電子メール転送システムのメールサーバにおける転送制限条件判定処理の動作を示すフローチャートである。
【００９２】
図２１に示されるように、転送制限条件データベース５７に転送制限条件として予め決められた転送先場所が情報として登録されている場合（ステップＳ７１−ＹＥＳ）、条件判定部４８は、転送制限条件データベース５７の欄５７−２と転送ログデータベース５５の欄５５−６とを参照して転送先場所が一致している（転送先場所が予め決められた転送先場所を満たしている）か否かを判定する（ステップＳ７２）。判定の結果、転送先場所が一致し（ステップＳ７２−ＹＥＳ）、転送制限条件データベース５７に転送制限条件として予め決められた転送先の性別が情報として登録されている場合（ステップＳ７３−ＹＥＳ）、条件判定部４８は、転送制限条件データベース５７の欄５７−４と個人プロファイルデータベース５９の欄５９−１、５９−４と転送ログデータベース５５の欄５５−３とを参照して、転送先の性別が一致している（転送先の性別が予め決められた転送先の性別を満たしている）か否かを判定する（ステップＳ７４）。判定の結果、転送先の性別が一致し（ステップＳ７４−ＹＥＳ）、転送制限条件データベース５７に転送制限条件として予め決められた転送先の趣味が情報として登録されている場合（ステップＳ７５−ＹＥＳ）、条件判定部４８は、転送制限条件データベース５７の欄５７−４と個人プロファイルデータベース５９の欄５９−１、５９−５と転送ログデータベース５５の欄５５−３とを参照して、転送先の趣味が一致しているか否かを判定する（ステップＳ７６）。
【００９３】
判定の結果、転送先の趣味が一致し（ステップＳ７６−ＹＥＳ）、図２２に示されるように、転送制限条件データベース５７に転送制限条件として予め決められた転送先の職業が情報として登録されている場合（ステップＳ７７−ＹＥＳ）、条件判定部４８は、転送制限条件データベース５７の欄５７−４と個人プロファイルデータベース５９の欄５９−１、５９−６と転送ログデータベース５５の欄５５−３とを参照して、転送先の職業が一致している（転送先の職業が予め決められた転送先の職業を満たしている）か否かを判定する（ステップＳ７８）。判定の結果、転送先の職業が一致し（ステップＳ７８−ＹＥＳ）、転送制限条件データベース５７に転送制限条件として予め決められた転送先の結婚有無が情報として登録されている場合（ステップＳ７９−ＹＥＳ）、条件判定部４８は、転送制限条件データベース５７の欄５７−４と個人プロファイルデータベース５９の欄５９−１、５９−７と転送ログデータベース５５の欄５５−３とを参照して、転送先の結婚有無が一致している（転送先の結婚有無が予め決められた転送先の結婚有無を満たしている）か否かを判定する（ステップＳ８０）。判定の結果、転送先の結婚有無が一致し（ステップＳ８０−ＹＥＳ）、転送制限条件データベース５７に転送制限条件として予め決められた転送先の年齢が情報として登録されている場合（ステップＳ８１−ＹＥＳ）、条件判定部４８は、転送制限条件データベース５７の欄５７−４と個人プロファイルデータベース５９の欄５９−１、５９−８と転送ログデータベース５５の欄５５−３とを参照して、転送先の年齢が一致している（転送先の年齢が予め決められた転送先の年齢を満たしている）か否かを判定する（ステップＳ８２）。判定の結果、転送先の年齢が一致しととき（ステップＳ８２−ＹＥＳ）、転送制限条件判定処理を終了する。
【００９４】
また、転送先場所、転送先の性別、転送先の趣味、転送先の職業、転送先の結婚有無、転送先の年齢が予め決められた情報（予め決められた転送先場所、予め決められた転送先の性別、予め決められた転送先の趣味、予め決められた転送先の職業、予め決められた転送先の結婚有無、予め決められた転送先の年齢）と一致しないとき（ステップＳ７２−ＮＯ、ステップＳ７４−ＮＯ、ステップＳ７６−ＮＯ、ステップＳ７８−ＮＯ、ステップＳ８０−ＮＯ、ステップＳ８２−ＮＯ）、図２３に示されるように、アラート送信部４９は、転送ログデータベース５５を参照して（ｊ＋１）番目の転送ログを読込み（ステップＳ８３）、端末３−ｊのアドレスに基づいて発信元端末である端末３−ｊにアラートを電子メールによって送信する（ステップＳ８４）。条件判定部４８は、転送ログデータベース５５の欄５５−７に対応付けられて欄５５−１〜５５−６に登録された（ｊ＋１）番目の転送ログを論理的に削除することを表す記号を登録する（ステップＳ８５）。
【００９５】
また、転送者Ｃ−ｊが端末３−ｊを用いてダミーメール２０を転送した後、ダミーメール２０が何人の転送者（に属す転送者端末）に転送されたかを調べるために、転送者Ｃ−ｊは、入力装置３９を操作し、転送処理部３５は、転送者Ｃ−ｊによる入力装置３９の操作により、図２４に示されるように、転送ログデータベース５５に登録されているカウント値を問い合わせるための途中経過問合せ通知をサーバ４に送信する（ステップＳ９１）。ダミーメール受信部４４は、転送者Ｃ−ｊからの途中経過問合せ通知を受信し（ステップＳ９２）、ログ記録部４７は、途中経過問合せ通知に基づいて、転送ログデータベース５５を参照して転送者Ｃ−ｊから途中経過問合せ通知を受信した時点までに転送ログデータベース５５に登録された転送ログとしてカウント値を読込む（ステップＳ９３）。ダミーメール送信部４３は、そのカウント値をダミーメール２０の転送の途中経過として電子メールによって、端末３−ｊのアドレスに基づいて端末３−ｊに送信する（ステップＳ９４）。端末３−ｊは、ダミーメール送信部４３からのカウント値を受信する（ステップＳ９５）。
【００９６】
また、図２５に示されるように、実施の形態１に係る電子メール転送システムは、課金処理を実行する。メインメール送信部４１がメインメール１０を送信した後、課金処理部５３が例えば端末３−ｊからステップＳ１０１で実行される課金変更通知を受信しない場合（ステップＳ１０２−ＮＯ）、課金処理部５３は、転送ログデータベース５５を参照して、メインメール１０の通信料金及び使用料金と、ダミーメール２０の通信料金及び使用料金とを決定する。例えば、出力用端末が依頼主端末１、広告主端末２である場合、課金処理部５３は、依頼主Ａのアドレスと、メインメール１０の通信料金及び使用料金を請求するためのメインメール課金通知（メインメール１０の通信料金及び使用料金が記載された通信料金電子メール）とを対応付けて課金データベース６１に登録する。また、課金処理部５３は、広告主Ｂのアドレスと、ダミーメール２０の通信料金及び使用料金を請求するためのダミーメール課金通知（ダミーメール２０の通信料金及び使用料金が記載された通信料金電子メール）とを対応付けて課金データベース６１に登録する（ステップＳ１０３）。
【００９７】
課金処理部５３は、ダミーメール課金通知を出力用端末（広告主端末２）に送信して広告主Ｂに通知する（ステップＳ１０４）。広告主端末２は、課金処理部５３からのダミーメール課金通知を受信する（ステップＳ１０５）。課金処理部５３は、メインメール課金通知（メインメール１０の通信料金及び使用料金が記載された通信料金電子メール）を出力用端末（依頼主端末１）に送信して依頼主Ａに通知する（ステップＳ１０６）。依頼主端末１は、課金処理部５３からのメインメール課金通知を受信する（ステップＳ１０７）。
【００９８】
同様に、残念メール送信部５０が残念メールを送信した後、課金処理部５３が例えば端末３−ｊからステップＳ１０１で実行される課金変更通知を受信しない場合（ステップＳ１０２−ＮＯ）、課金処理部５３は、転送ログデータベース５５を参照して、残念メールの通信料金及び使用料金と、ダミーメール２０の通信料金及び使用料金とを決定する。上述と同様に、例えば、出力用端末が依頼主端末１、広告主端末２である場合、課金処理部５３は、依頼主Ａのアドレスと、残念メールの通信料金及び使用料金を請求するためのメインメール課金通知（残念メールの通信料金及び使用料金が記載された通信料金電子メール）とを対応付けて課金データベース６１に登録する。また、課金処理部５３は、広告主Ｂのアドレスと、ダミーメール２０の通信料金及び使用料金を請求するためのダミーメール課金通知（ダミーメール２０の通信料金及び使用料金が記載された通信料金電子メール）とを対応付けて課金データベース６１に登録する（ステップＳ１０３）。
【００９９】
課金処理部５３は、ダミーメール課金通知を出力用端末（広告主端末２）に送信して広告主Ｂに通知する（ステップＳ１０４）。広告主端末２は、課金処理部５３からのダミーメール課金通知を受信する（ステップＳ１０５）。課金処理部５３は、メインメール課金通知（メインメール１０の通信料金及び使用料金が記載された通信料金電子メール）を出力用端末（依頼主端末１）に送信して依頼主Ａに通知する（ステップＳ１０６）。依頼主端末１は、課金処理部５３からのメインメール課金通知を受信する（ステップＳ１０７）。
【０１００】
課金処理部５３は、ステップＳ１０３〜Ｓ１０７を実行した場合、例えば端末３−ｊが課金変更通知を送信しても（ステップＳ１０１）、課金処理を実行しない。一方、課金処理部５３がステップＳ１０３〜Ｓ１０７を実行する前に、例えば端末３−ｊが課金変更通知を送信した場合（ステップＳ１０１）、課金処理部５３は、端末３−ｊからの課金変更通知を受信する（ステップＳ１０２−ＹＥＳ）。課金処理部５３は、転送ログデータベース５５を参照して、メインメール１０（あるいは残念メール）の通信料金及び使用料金と、ダミーメール２０の通信料金及び使用料金とを決定する。課金処理部５３は、転送者３−ｊのアドレスと、メインメール１０（あるいは残念メール）の通信料金及び使用料金と、ダミーメール２０の通信料金及び使用料金とを請求するための転送者課金通知｛メインメール１０（あるいは残念メール）、ダミーメール２０の通信料金及び使用料金が記載された通信料金電子メール｝とを対応付けて課金データベース６１に登録する（ステップＳ１０８）。課金処理部５３は、転送者課金通知を端末３−ｊに送信して転送者Ｃ−ｊに通知する（ステップＳ１０９）。端末３−ｊは、課金処理部５３からの転送者課金通知を受信する（ステップＳ１１０）。
【０１０１】
以上の説明により、本発明の電子メール転送システムによれば、依頼主Ａは、依頼主端末１に登録されている個人（転送者Ｃ−１）に加えて依頼主端末１に登録されていない個人（転送者Ｃ−２、…、Ｃ−ｎ）にもメインメール１０に関する情報をダミーメール２０によって配信（送信／転送）することができる。
【０１０２】
また、本発明の電子メール転送システムによれば、メインメール１０が転送者Ｃ−２、…、Ｃ−ｎに送信される旨をダミーメール２０（広告主Ｂの広告情報を含む広告メール２０）によって事前に知らせることができるため、広告主Ｂは、広告主端末２に登録されている個人（転送者Ｃ−１）に加えて広告主端末２に登録されていない個人（転送者Ｃ−２、…、Ｃ−ｎ）にも広告主Ｂの広告情報（広告、ＣＭ、ポスターを表す）を配信（送信／転送）することができる。
【０１０３】
また、本発明の電子メール転送システムによれば、転送ログデータベース５５と個人プロファイルデータベース５９とを用いて、課金先を柔軟に変更することができる。
【０１０４】
（実施の形態２）
図２６は、実施の形態２に係る電子メール転送システムの構成を示すブロック図である。実施の形態２に係る電子メール転送システムは、実施の形態１の通信ネットワーク５に複数のサーバ１０４が接続されている。端末３−ｊは、ダミーメール２０を、サーバ１０４を介して端末３−（ｊ＋１）に転送する際、ダミーメール２０のコピーをサーバ４に送信（転送）する。ダミーメール２０のコピーとしては、ＣＣ（ｃａｒｂｏｎ  ｃｏｐｙ）、ＢＣＣ（ｂｌｉｎｄ  ｃａｒｂｏｎ  ｃｏｐｙ）が例示される。ダミーメール２０のコピーは実施の形態１で説明された転送ログ６を有する。実施の形態２に係る電子メール転送システムでは、この転送ログ６を取得するために、場所特定部１０５としては、ＡＳＰ（Ａｐｐｌｉｃａｔｉｏｎ  Ｓｅｒｖｉｃｅ  Ｐｒｏｖｉｄｅｒ）が更に含まれる。ここで、転送者Ｃ−１、Ｃ−２、…、Ｃ−ｎは、サーバ４のアドレスを知っている。実施の形態２では、実施の形態１の変更点のみ説明し、実施の形態１と同様な説明を省略する。
【０１０５】
ＡＳＰは、通信ネットワーク５を経由してサーバ４が転送ログ６を取得するためのアプリケーション・ソフトを提供するサービス会社である。業者Ｄは、予めに依頼主Ａ、広告主Ｂ、転送者Ｃ−１、Ｃ−２、…、Ｃ−ｎと契約し、依頼主Ａ、広告主Ｂ、転送者Ｃ−１、Ｃ−２、…、Ｃ−ｎによって、アプリケーション・ソフトをＡＳＰから依頼主端末１、広告主端末２、端末３−１、３−２、…、３−ｎにダウンロードしてもらう。実施の形態１に係る電子メール転送システムは、同じアプリケーション・ソフトを依頼主Ａ、広告主Ｂ、転送者Ｃ−１、Ｃ−２、…、Ｃ−ｎに使ってもらうことにより低価格で実現できる。
【０１０６】
転送者Ｃ−ｊは、端末３−ｊから端末３−（ｊ＋１）に転送するとき、端末３−ｊを用いて、発信元として端末３−ｊのアドレスと、転送先として端末３−（ｊ＋１）のアドレスと、転送先としてサーバ４のアドレスとを指定してダミーメール２０を送信する。端末３−（ｊ＋１）には、端末３−ｊからのダミーメール２０が転送される。サーバ４には、ＡＳＰを介してダミーメール２０のコピーが転送される。これにより、本発明の電子メール転送システムによれば、実施の形態１の効果に加えて、通信ネットワーク５に複数のサーバ１０４が接続されている場合、サーバ４のダミーメール受信部４４は、ＡＳＰを通って転送されたダミーメール２０のコピーに基づいて、転送ログ６を取得することができる。
【０１０７】
図２７は、ダミーメール２０のフォーマットを示す。ダミーメール２０は、実施の形態１で説明された欄２０−５がなく、欄３０−１、ボタン３０−２を更に含む。
【０１０８】
ダミーメール送信部４３がダミーメール２０を端末３−ｊに送信した場合、端末３−ｊの受信部３２は、ダミーメール送信部４３からダミーメール２０を受信する。端末３−ｊの制御部３３は、ダミーメール２０をデータベース３６に登録する。端末３−ｊの表示部３４は、自動的に又は転送者Ｃ−ｊによる入力装置３９の操作によりダミーメール２０を表示装置３７に表示する。このとき、ボタン２０−９が表示装置３７に表示されない。転送処理部３５は、転送者Ｃ−ｊによる入力装置３９の操作により、欄２０−３に発信元端末である端末３−ｊのアドレスを入力し、欄２０−４に転送先端末である端末３−（ｊ＋１）のアドレスを入力し、欄３０−１にサーバ４のアドレスを入力し（又は、予めに欄３０−１にサーバ４のアドレスが入力されている）、ボタン２０−７を押下したとき、ダミーメール２０を、サーバ１０４を介して端末３−（ｊ＋１）に転送し、ダミーメール２０のコピーを、ＡＳＰを介してサーバ４に転送する。ボタン２０−７が押下されたとき、ダミーメール２０が有する転送ログ６の欄６−２には、欄２０−３に入力された端末３−ｊのアドレスが登録され、欄６−３には、欄２０−４に入力された端末３−（ｊ＋１）のアドレスが登録される。転送処理部３５は、転送者Ｃ−ｊによる入力装置３９の操作により、ボタン２０−８を押下したとき、表示装置３７に表示されたダミーメール２０を閉じる（ダミーメール２０の表示を終了する）。
【０１０９】
また、転送者Ｃ−ｊが何番目であるのかを調べるために、転送者Ｃ−ｊは、入力装置３９を操作して、転送処理部３５は、転送者Ｃ−ｊによる入力装置３９の操作により、データベース３６に登録されたダミーメール２０を表示装置３７に表示する。転送処理部３５は、転送者Ｃ−ｊによる入力装置３９の操作により、ボタン３０−２を押下したとき、転送ログデータベース５５に登録されているカウント値を問い合わせるための転送人数問合せ通知をサーバ４に送信する。この転送人数問合せ通知には、欄２０−３に入力された端末３−ｊのアドレスが含まれる。サーバ４のダミーメール受信部４４は、転送者Ｃ−ｊからの転送人数問合せ通知を受信し、ログ記録部４７は、転送人数問合せ通知に基づいて、転送ログデータベース５５を参照して、転送者Ｃ−ｊから転送人数問合せ通知を受信した時点のカウント値を読込む。ダミーメール送信部４３は、端末３−ｊのアドレスに基づいて、そのカウント値を端末３−ｊに送信する。
【０１１０】
次に、実施の形態２に係る電子メール転送システムの動作を説明する。図２８〜３０は、実施の形態２に係る電子メール転送システムの動作を示すフローチャートである。
【０１１１】
実施の形態２に係る電子メール転送システムは、ステップＳ１〜Ｓ６を実行した後、図１４に示されるように、サーバ４が例えば端末３−１〜端末３−（ｊ＋１）にメインメール１０を送信する場合、ダミーメール送信部４３は、送信先アドレスデータベース５６を参照して、メインメール１０の送信条件（ダミーメール２０の転送制限条件を含む）を含む図２７に示されたダミーメール２０を端末３−１に送信する（ステップＳ１１１）。端末３−１の受信部３２は、ダミーメール送信部４３からダミーメール２０を受信する（ステップＳ１１２）。転送処理部３５は、転送者Ｃ−１による入力装置３９の操作により、ダミーメール２０の欄２０−３に端末３−１のアドレスを入力し、転送先の指定として欄２０−４に例えば端末３−２のアドレスを入力し、転送先の指定として欄３０−１にサーバ４のアドレスを入力し（ステップＳ１１３）、ボタン２０−７を押下したとき、ダミーメール２０を、サーバ１０４を介して端末３−２に転送し、ダミーメール２０のコピーを、ＡＳＰを介してサーバ４に転送する（ステップＳ１１４）。ステップＳ１１４にて、ボタン２０−７が押下されたとき、ダミーメール２０のコピー（カーボンコピー：ＣＣと称す）が有する転送ログ６の欄６−２には、欄２０−３に入力された端末３−１のアドレスが登録され、欄６−３には、欄２０−４に入力された端末３−２のアドレスが登録される。サーバ４は、端末３−１からのダミーメール２０（ＣＣ）に基づいて転送処理を実行する（ステップＳ１１５）。
【０１１２】
端末３−２の受信部３２は、端末３−１からダミーメール２０を受信する（ステップＳ１１６）。転送処理部３５は、転送者Ｃ−２による入力装置３９の操作により、ダミーメール２０の欄２０−３に端末３−２のアドレスを入力し、転送先の指定として欄２０−４に例えば端末３−ｊのアドレスを入力し、転送先の指定として欄３０−１にサーバ４のアドレスを入力し（ステップＳ１１７）、ダミーメール２０を、サーバ１０４を介して端末３−ｊに転送し、ダミーメール２０のコピーを、ＡＳＰを介してサーバ４に転送する（ステップＳ１１８）。ステップＳ１１８にて、ボタン２０−７が押下されたとき、ダミーメール２０（ＣＣ）が有する転送ログ６の欄６−２には、欄２０−３に入力された端末３−２のアドレスが登録され、欄６−３には、欄２０−４に入力された端末３−ｊのアドレスが登録される。サーバ４は、端末３−２からのダミーメール２０（ＣＣ）に基づいて転送処理を実行する（ステップＳ１１９）。端末３−ｊの受信部３２は、端末３−２からダミーメール２０を受信する（ステップＳ１２０）。
【０１１３】
図２９に示されるように、端末３−ｊの転送処理部３５は、転送者Ｃ−ｊによる入力装置３９の操作により、ダミーメール２０の欄２０−３に端末３−ｊのアドレスを入力し、転送先の指定として欄２０−４に例えば端末３−（ｊ＋１）のアドレスを入力し、転送先の指定として欄３０−１にサーバ４のアドレスを入力し（ステップＳ１２１）、ボタン２０−７を押下したとき、ダミーメール２０を、サーバ４を介して端末３−（ｊ＋１）に転送し、ダミーメール２０のコピーを、ＡＳＰを介してサーバ４に転送する（ステップＳ１２２）。ステップＳ１２２にて、ボタン２０−７が押下されたとき、ダミーメール２０（ＣＣ）が有する転送ログ６の欄６−２には、欄２０−３に入力された端末３−ｊのアドレスが登録され、欄６−３には、欄２０−４に入力された端末３−（ｊ＋１）のアドレスが登録される。端末３−（ｊ＋１）の受信部３２は、端末３−ｊからダミーメール２０を受信する（ステップＳ１２４）。サーバ４は、端末３−ｊからのダミーメール２０（ＣＣ）に基づいて転送処理を実行し（ステップＳ１２３）、送信条件が満たされたとき、メールデータベース５４に格納されたメインメール１０を、端末３−１〜端末３−（ｊ＋１）のアドレスに基づいて端末３−１〜端末３−（ｊ＋１）に送信する（ステップＳ１２５）。端末３−１〜端末３−（ｊ＋１）の受信部３２は、サーバ４からのメインメール１０を受信する（ステップＳ１２６、Ｓ１２７、Ｓ１２８、Ｓ１２９）。
【０１１４】
一方、サーバ４が例えば端末３−１〜端末３−ｊ、依頼主端末１に残念メールを送信する場合、実施の形態２に係る電子メール転送システムは、図２８に示されたステップＳ１１１〜Ｓ１２０を実行し、図３０に示されるように、サーバ４は、監視条件に基づいて転送処理を実行し（ステップＳ１３１）、送信条件が満たされないとき、端末３−１〜端末３−ｊに、残念メールを送信する（ステップＳ１３２）。また、図示していないがステップＳ１３２にて、サーバ４は、依頼主端末１に残念メールを送信する。端末３−１〜端末３−ｊの受信部３２は、サーバ４からの残念メールを受信する（ステップＳ１３３、Ｓ１３４、Ｓ１３５）。依頼主端末１は、サーバ４からの残念メールを受信する。
【０１１５】
図３１は、実施の形態２に係る電子メール転送システムのメールサーバにおける転送処理の動作を示すフローチャートである。
【０１１６】
サーバ４は、図１７、１８、２０に示され実施の形態１で説明されたステップＳ４１〜Ｓ５４、Ｓ６１〜Ｓ６４と同様のステップを実行する。次に、監視条件が一致しないとき（ステップＳ５２−ＮＯ）、図３１に示されるように、条件判定部４８は、転送ログデータベース５５を参照して、送信条件が一致する（転送回数“ｊ＋１”が予め決められた転送回数ｎを満たしている）か否かを判定する（ステップＳ１４１）。判定の結果、送信条件が一致しないとき（ステップＳ１４１−ＮＯ）、サーバ４は転送処理を終了する。一方、判定の結果、送信条件が一致したとき（ステップＳ１４１−ＹＥＳ）、メインメール送信部４３は、転送ログデータベース５５を参照して１番目〜（ｊ＋１）番目の転送ログを読込み（ステップＳ１４２）、メールデータベース５４に格納されたメインメール１０を、端末３−１〜端末３−（ｊ＋１）のアドレスに基づいて端末３−１〜端末３−（ｊ＋１）に送信する（ステップＳ１４３）。
【０１１７】
また、サーバ４は、転送制限条件判定処理として、図２１〜２３に示され実施の形態１で説明されたステップＳ７１〜Ｓ８５と同様のステップを実行する。また、サーバ４は、図２４、２５に示され実施の形態１で説明されたステップＳ９１〜Ｓ９５、Ｓ１０１〜Ｓ１１０と同様のステップを実行する。
【０１１８】
また、転送者Ｃ−ｊが何番目であるのかを調べるために、転送者Ｃ−ｊは、入力装置３９を操作し、転送処理部３５は、転送者Ｃ−ｊによる入力装置３９の操作により、図３２に示されるように、転送ログデータベース５５に登録されているカウント値を問い合わせるための転送人数問合せ通知をサーバ４に送信する（ステップＳ１５１）。サーバ４のダミーメール受信部４４は、転送者Ｃ−ｊからの転送人数問合せ通知を受信し（ステップＳ１５２）、ログ記録部４７は、転送人数問合せ通知に基づいて、転送ログデータベース５５を参照して、転送者Ｃ−ｊから転送人数問合せ通知を受信した時点のカウント値を読込む（ステップＳ１５３）。ダミーメール送信部４３は、端末３−ｊのアドレスに基づいて、そのカウント値を端末３−ｊに送信する（ステップＳ１５４）。端末３−ｊは、ダミーメール送信部４３からのカウント値を受信する（ステップＳ１５５）。
【０１１９】
尚、本発明の電子メール転送システムにおいて、条件判定部４８は、転送制限条件データベース５７を参照して転送制限条件が一致しているか否かを判定しているが、これに限定されず、メインメール送信条件データベース５８を参照して転送制限条件が一致しているか否かを判定することも可能である。また、本発明の電子メール転送システムにおいて、条件判定部４８の判定の結果、アラート送信部４９がアラートを送信しているが、ダミーメール送信部４３がアラートを送信することも可能である。
【０１２０】
【発明の効果】
以上の説明により、本発明の電子メール転送システムによれば、依頼主Ａは、依頼主端末１に登録されている個人（転送者Ｃ−１）に加えて依頼主端末１に登録されていない個人（転送者Ｃ−２、…、Ｃ−ｎ）にもメインメール１０に関する情報をダミーメール２０によって配信（送信／転送）することができる。
【０１２１】
また、本発明の電子メール転送システムによれば、メインメール１０が転送者Ｃ−２、…、Ｃ−ｎに送信される旨をダミーメール２０（広告主Ｂの広告情報を含む広告メール２０）によって事前に知らせることができるため、広告主Ｂは、広告主端末２に登録されている個人（転送者Ｃ−１）に加えて広告主端末２に登録されていない個人（転送者Ｃ−２、…、Ｃ−ｎ）にも広告主Ｂの広告情報（広告、ＣＭ、ポスターを表す）を配信（送信／転送）することができる。
【０１２２】
また、本発明の電子メール転送システムによれば、転送ログデータベース５５と個人プロファイルデータベース５９とを用いて、課金先を柔軟に変更することができる。
【０１２３】
また、本発明の電子メール転送システムによれば、通信ネットワーク５に複数のサーバ１０４が接続されている場合、サーバ４は、ＡＳＰを通って転送されたダミーメール２０のコピーに基づいて、転送ログ６を取得することができる。
【図面の簡単な説明】
【図１】図１は、実施の形態１に係る電子メール転送システムの構成を示すブロック図である。
【図２】図２は、依頼主端末の構成を示すブロック図である。
【図３】図３は、広告主端末の構成を示すブロック図である。
【図４】図４は、転送者端末の構成を示すブロック図である。
【図５】図５は、メールサーバの構成を示すブロック図である。
【図６】図６は、転送ログの概念を示す図である。
【図７】図７は、転送ログデータベースを示す図である。
【図８】図８は、転送制限条件データベース５７を示す図である。
【図９】図９は、メインメール送信条件データベースを示す図である。
【図１０】図１０は、個人プロファイルデータベースを示す図である。
【図１１】図１１は、メインメールのフォーマットを示す図である。
【図１２】図１２は、ダミーメールのフォーマットを示す図である。
【図１３】図１３は、実施の形態１に係る電子メール転送システムの動作を示すフローチャートである。
【図１４】図１４は、実施の形態１に係る電子メール転送システムの動作を示すフローチャートである。
【図１５】図１５は、実施の形態１に係る電子メール転送システムの動作を示すフローチャートである。
【図１６】図１６は、実施の形態１に係る電子メール転送システムの動作を示すフローチャートである。
【図１７】図１７は、実施の形態１に係る電子メール転送システムのメールサーバにおける転送処理の動作を示すフローチャートである。
【図１８】図１８は、実施の形態１に係る電子メール転送システムのメールサーバにおける転送処理の動作を示すフローチャートである。
【図１９】図１９は、実施の形態１に係る電子メール転送システムのメールサーバにおける転送処理の動作を示すフローチャートである。
【図２０】図２０は、実施の形態１に係る電子メール転送システムのメールサーバにおける転送処理の動作を示すフローチャートである。
【図２１】図２１は、実施の形態１に係る電子メール転送システムのメールサーバにおける転送制限条件判定処理の動作を示すフローチャートである。
【図２２】図２２は、実施の形態１に係る電子メール転送システムのメールサーバにおける転送制限条件判定処理の動作を示すフローチャートである。
【図２３】図２３は、実施の形態１に係る電子メール転送システムのメールサーバにおける転送制限条件判定処理の動作を示すフローチャートである。
【図２４】図２４は、実施の形態１に係る電子メール転送システムの動作を示すフローチャートである。
【図２５】図２５は、実施の形態１に係る電子メール転送システムの動作を示すフローチャートである。
【図２６】図２６は、実施の形態２に係る電子メール転送システムの構成を示すブロック図である。
【図２７】図２７は、ダミーメールのフォーマットを示す図である。
【図２８】図２８は、実施の形態２に係る電子メール転送システムの動作を示すフローチャートである。
【図２９】図２９は、実施の形態２に係る電子メール転送システムの動作を示すフローチャートである。
【図３０】図３０は、実施の形態２に係る電子メール転送システムの動作を示すフローチャートである。
【図３１】図３１は、実施の形態２に係る電子メール転送システムのメールサーバにおける転送処理の動作を示すフローチャートである。
【図３２】図３２は、実施の形態２に係る電子メール転送システムの動作を示すフローチャートである。
【符号の説明】
Ａ      依頼主
Ｂ      広告主
Ｃ−１〜Ｃ−ｎ      転送者
１      依頼主端末
２      広告主端末
３−１〜３−ｎ      転送者端末
４      メールサーバ
５      通信ネットワーク
６−１〜６−５      欄
１０      メインメール
１１      制御装置
１２      受信部
１３      制御部
１４      表示部
１５      送信部
１６      データベース
１７      表示装置
１８      出力装置
１９      入力装置
２０      ダミーメール
２０−１〜２０−６      欄
２０−７〜２０−９      ボタン
２１      制御装置
２２      受信部
２３      制御部
２４      表示部
２５      送信部
２６      データベース
２７      表示装置
２８      出力装置
２９      入力装置
３０−１      欄
３０−２      ボタン
３１      制御装置
３２      受信部
３３      制御部
３４      表示部
３５      転送処理部
３６      データベース
３７      表示装置
３８      出力装置
３９      入力装置
４１      メインメール送信部
４２      メインメール受信部
４３      ダミーメール送信部
４４      ダミーメール受信部
４５      Ｆｒｏｍ−Ｔｏアドレス抽出部
４６      カウント部
４７      ログ記録部
４８      条件判定部
４９      アラート送信部
５０      残念メール送信部
５１      タイマ部
５２      タイマ監視部
５３      課金処理部
５４      メールデータベース
５５      転送ログデータベース
５５−１〜５５−７      欄
５６      送信先アドレスデータベース
５７      転送制限条件データベース
５７−１〜５７−４      欄
５８      メインメール送信条件データベース
５８−１〜５８−５      欄
５９      個人プロファイルデータベース
５９−１〜５９−８      欄
６０      ロケーションデータベース
６１      課金データベース
６２      入力装置
６３      表示装置
１０４      サーバ
１０５      場所特定部
【図１】
0004193398.tif 000002
【図２】
0004193398.tif 000003
【図３】
0004193398.tif 000004
【図４】
0004193398.tif 000005
【図５】
0004193398.tif 000006
【図６】
0004193398.tif 000007
【図７】
0004193398.tif 000008
【図８】
0004193398.tif 000009
【図９】
0004193398.tif 000010
【図１０】
0004193398.tif 000011
【図１１】
0004193398.tif 000012
【図１２】
0004193398.tif 000013
【図１３】
0004193398.tif 000014
【図１４】
0004193398.tif 000015
【図１５】
0004193398.tif 000016
【図１６】
0004193398.tif 000017
【図１７】
0004193398.tif 000018
【図１８】
0004193398.tif 000019
【図１９】
0004193398.tif 000020
【図２０】
0004193398.tif 000021
【図２１】
0004193398.tif 000022
【図２２】
0004193398.tif 000023
【図２３】
0004193398.tif 000024
【図２４】
0004193398.tif 000025
【図２５】
0004193398.tif 000026
【図２６】
0004193398.tif 000027
【図２７】
0004193398.tif 000028
【図２８】
0004193398.tif 000029
【図２９】
0004193398.tif 000030
【図３０】
0004193398.tif 000031
【図３１】
0004193398.tif 000032
【図３２】
0004193398.tif 000033